(57)【特許請求の範囲】
【請求項１】
外側表面および内側表面を有するハウジングと、
上記ハウジングの中の少なくとも１つの構成要素と、
４００Ｗ／（ｍ・Ｋ）より大きなｋ値を有する高ｋ値高熱伝導率体とを含み、
上記少なくとも１つの構成要素は、上記ハウジングの中に存在する他の、要素、化学物質、または物質と共同で、電力を発生するよう構成されており、
上記高熱伝導率体は、上記ハウジングの少なくとも１つの上記内側表面または上記少なくとも１つの構成要素と結合しており、
上記高熱伝導率体は、上記少なくとも１つの構成要素を覆っており、
上記少なくとも１つの構成要素は、カソードまたはアノードを含み、
上記高熱伝導率体は、上記カソードまたは上記アノードの一部と一体化していることを特徴とする電気化学エネルギー発生装置。
【請求項２】
上記高熱伝導率体は、少なくとも１つの外部のヒートシンクに接触する構造に形作られていることを特徴とする請求項１に記載の電気化学エネルギー発生装置。
【請求項３】
上記高熱伝導率体は、上記ハウジングの壁の一部に結合していることを特徴とする請求項１に記載の電気化学エネルギー発生装置。
【請求項４】
上記高熱伝導率体は、上記少なくとも１つの構成要素に結合していることを特徴とする請求項１に記載の電気化学エネルギー発生装置。
【請求項５】
上記高熱伝導率体は、上記ハウジングの壁の一部と一体化していることを特徴とする請求項１に記載の電気化学エネルギー発生装置。
【請求項６】
上記少なくとも１つの構成要素は、上記カソードを含み、
上記高熱伝導率体は、上記カソードの一部と一体化していることを特徴とする請求項１に記載の電気化学エネルギー発生装置。
【請求項７】
上記少なくとも１つの構成要素は、上記アノードを含み、
上記高熱伝導率体は、上記アノードの一部と一体化していることを特徴とする請求項１に記載の電気化学エネルギー発生装置。
【請求項８】
上記高熱伝導率体は、上記少なくとも１つの構成要素の一部を含む上記物質と結合しており、上記少なくとも１つの構成要素は、物質および触媒を含むことを特徴とする請求項１に記載の電気化学エネルギー発生装置。
【請求項９】
上記高熱伝導率体は、上記少なくとも１つの構成要素の一部を含む上記物質と結合しており、上記少なくとも１つの構成要素は、固体電解質を含むことを特徴とする請求項１に記載の電気化学エネルギー発生装置。
【請求項１０】
上記高熱伝導率体は、上記少なくとも１つの構成要素の一部を含む上記物質と一体化しており、上記少なくとも１つの構成要素は、物質および触媒を含むことを特徴とする請求項１に記載の電気化学エネルギー発生装置。
【請求項１１】
上記高熱伝導率体は、上記少なくとも１つの構成要素の一部を含む上記物質と一体化しており、上記少なくとも１つの構成要素は、固体電解質を含むことを特徴とする請求項１に記載の電気化学エネルギー発生装置。
【請求項１２】
上記高熱伝導率体は、上記少なくとも１つの構成要素の一部と結合しており、上記少なくとも１つの構成要素は、電気接点を含むことを特徴とする請求項１に記載の電気化学エネルギー発生装置。
【請求項１３】
上記高熱伝導率体は、上記少なくとも１つの構成要素の一部と一体化しており、上記少なくとも１つの構成要素は、電気接点を含むことを特徴とする請求項１に記載の電気化学エネルギー発生装置。
【請求項１４】
上記高熱伝導率体は、上記少なくとも１つの構成要素の一部と結合しており、上記少なくとも１つの構成要素は、導電体を含むことを特徴とする請求項１に記載の電気化学エネルギー発生装置。
【請求項１５】
上記高熱伝導率体は、上記少なくとも１つの構成要素の一部と一体化しており、上記少なくとも１つの構成要素は、導電体を含むことを特徴とする請求項１に記載の電気化学エネルギー発生装置。
【請求項１６】
上記高熱伝導率体は、上記少なくとも１つの構成要素の一部と結合しており、上記少なくとも１つの構成要素は、誘電体を含むことを特徴とする請求項１に記載の電気化学エネルギー発生装置。
【請求項１７】
上記高熱伝導率体は、上記少なくとも１つの構成要素の一部と結合しており、上記少なくとも１つの構成要素は、セパレーターを含むことを特徴とする請求項１に記載の電気化学エネルギー発生装置。
【請求項１８】
上記高熱伝導率体は、上記少なくとも１つの構成要素の一部と一体化しており、上記少なくとも１つの構成要素は、誘電体を含むことを特徴とする請求項１に記載の電気化学エネルギー発生装置。
【請求項１９】
上記高熱伝導率体は、上記少なくとも１つの構成要素の一部と一体化しており、上記少なくとも１つの構成要素は、セパレーターを含むことを特徴とする請求項１に記載の電気化学エネルギー発生装置。
【請求項２０】
上記少なくとも１つの構成要素は、熱制御構成要素を含み、上記熱制御構成要素は、上記ハウジングの中に配置されていることを特徴とする請求項１に記載の電気化学エネルギー発生装置。
【請求項２１】
上記高熱伝導率体は、ダイアモンドを含むことを特徴とする請求項１に記載の電気化学エネルギー発生装置。
【請求項２２】
上記高熱伝導率体は、ダイアモンドフィルムを含むことを特徴とする請求項１に記載の電気化学エネルギー発生装置。
【請求項２３】
上記高熱伝導率体は、カーボンファイバーを含むことを特徴とする請求項１に記載の電気化学エネルギー発生装置。
【請求項２４】
上記高熱伝導率体は、カーボンナノチューブを含むことを特徴とする請求項１に記載の電気化学エネルギー発生装置。
【請求項２５】
高熱伝導率体でできた複数の熱制御構造体に結合されている、制御可能な流れを伴う流体流動システムと、
電気化学エネルギー発生装置に結合されている電気的特性センサーと、
制御アルゴリズムが組み込まれており、制御可能な流れを伴う制御システムの機能を上記電気化学エネルギー発生装置の少なくとも１つの状態の関数として制御するように構成されている制御装置と、
を備えており、
上記高熱伝導率体は、高ｋ値を有しており、
上記高ｋ値は、４１０Ｗ／（ｍ・Ｋ）よりも大きく、
上記熱制御構造体は、上記電気化学エネルギー発生装置の少なくとも一部に隣接して配置されており、
上記熱制御構造体は、上記電気化学エネルギー発生装置の上記一部から熱を移送するように構成されており、
上記高熱伝導率体は、外側表面および内側表面を有するハウジングの中の少なくとも１つの構成要素を覆っており、
上記少なくとも１つの構成要素は、カソードまたはアノードを含み、
上記高熱伝導率体は、上記カソードまたは上記アノードの一部と一体化していることを特徴とする電気化学エネルギー発生装置の温度変更システム。
【請求項２６】
高熱伝導率体でできた複数の熱制御構造体に結合されている、制御可能な流れを伴う流体制御システムと、
電気エネルギー蓄積装置に結合されている電気的特性センサーと、
制御アルゴリズムが組み込まれており、制御可能な流れを伴う上記制御システムの機能を上記電気エネルギー蓄積装置に供給された電流の関数として制御するように構成されている制御装置と、
を備えており、
上記高熱伝導率体は、高ｋ値を有しており、
上記高ｋ値は、４１０Ｗ／（ｍ・Ｋ）よりも大きく、
上記熱制御構造体は、上記電気エネルギー蓄積装置の少なくとも一部に隣接して配置されており、
上記熱制御構造体は、上記電気エネルギー蓄積装置の上記一部から熱を移送するように構成されており、
上記高熱伝導率体は、外側表面および内側表面を有するハウジングの中の少なくとも１つの構成要素を覆っており、
上記少なくとも１つの構成要素は、カソードまたはアノードを含み、
上記高熱伝導率体は、上記カソードまたは上記アノードの一部と一体化していることを特徴とする電気エネルギー蓄積装置の温度変更システム。
【請求項２７】
高熱伝導率体でできた複数の熱制御構造体に結合されている制御可能な流体流動装置と、
電気化学エネルギー発生装置に結合されている電気的特性センサーと、
携帯型装置のプロセッサと、
制御アルゴリズムが組み込まれており、上記制御可能な流体流動装置の機能を携帯型装置の状態の関数として制御するように構成されている制御装置と、
を備えており、
上記高熱伝導率体は、高ｋ値を有しており、
上記高ｋ値は、４１０Ｗ／（ｍ・Ｋ）よりも大きく、
上記熱制御構造体は、上記電気化学エネルギー発生装置の少なくとも一部に隣接して配置されており、
上記熱制御構造体は、上記電気化学エネルギー発生装置の上記一部から熱を移送するように構成されており、
上記プロセッサは、少なくとも１つの携帯型装置の状態を決定するように構成されており、
上記携帯型装置は、上記電気化学エネルギー発生装置からの電流を使用し、
上記高熱伝導率体は、外側表面および内側表面を有するハウジングの中の少なくとも１つの構成要素を覆っており、
上記少なくとも１つの構成要素は、カソードまたはアノードを含み、
上記高熱伝導率体は、上記カソードまたは上記アノードの一部と一体化していることを特徴とする電気化学エネルギー発生装置の温度変更システム。
【請求項２８】
高熱伝導率体でできた複数の熱制御構造体に結合されている制御可能な流体流動装置と、
電気化学エネルギー発生装置に結合されている電気的特性センサーと、
携帯型装置のプロセッサと、
制御アルゴリズムが組み込まれており、上記携帯型装置の状態の機能を制御するように構成されている制御装置と、
を備えており、
上記高熱伝導率体は、高ｋ値を有しており、
上記高ｋ値は、４１０Ｗ／（ｍ・Ｋ）よりも大きく、
上記熱制御構造体は、電気化学エネルギー発生装置の少なくとも一部に隣接して配置されており、
上記熱制御構造体は、上記電気化学エネルギー発生装置の上記一部から熱を移送するように構成されており、
上記プロセッサは、少なくとも１つの上記携帯型装置の状態を決定するように構成されており、
上記携帯型装置は、上記電気化学エネルギー発生装置からの電流を使用し、
上記高熱伝導率体は、外側表面および内側表面を有するハウジングの中の少なくとも１つの構成要素を覆っており、
上記少なくとも１つの構成要素は、カソードまたはアノードを含み、
上記高熱伝導率体は、上記カソードまたは上記アノードの一部と一体化していることを特徴とする電気化学エネルギー発生装置の温度変更システム。
【請求項２９】
高熱伝導率体でできた複数の熱制御構造体に結合されている制御可能な流体流動装置と、
少なくとも１つの車両の状態を決定するように構成されているプロセッサと、
上記プロセッサに結合されており、少なくとも１つの車両の特性を検出するように構成されている車両センサーと、
制御アルゴリズムが組み込まれており、上記制御可能な流体流動装置の機能を上記少なくとも１つの車両の状態の関数として制御するように構成されている制御装置と、
を備えており、
上記高熱伝導率体は、高ｋ値を有しており、
上記高ｋ値は、４１０Ｗ／（ｍ・Ｋ）よりも大きく、
上記熱制御構造体は、電気化学エネルギー発生装置の少なくとも一部に隣接して配置されており、
上記熱制御構造体は、上記電気化学エネルギー発生装置の上記一部から熱を移送するように構成されており、
上記車両は、上記電気化学エネルギー発生装置を使用し、
上記高熱伝導率体は、外側表面および内側表面を有するハウジングの中の少なくとも１つの構成要素を覆っており、
上記少なくとも１つの構成要素は、カソードまたはアノードを含み、
上記高熱伝導率体は、上記カソードまたは上記アノードの一部と一体化していることを特徴とする電気化学エネルギー発生装置の温度変更システム。
【請求項３０】
高熱伝導率体でできた複数の熱制御構造体に結合されている制御可能な流体流動装置と、
少なくとも１つの車両の状態を決定するように構成されているプロセッサと、
上記プロセッサに結合されており、少なくとも１つの車両の特性を検出するように構成されている車両センサーと、
制御アルゴリズムが組み込まれており、車両の状態に基づいて車両の機能を制御するように構成されている制御装置と、
を備えており、
上記高熱伝導率体は、高ｋ値を有しており、
上記高ｋ値は、４１０Ｗ／（ｍ・Ｋ）よりも大きく、
上記熱制御構造体は、電気化学エネルギー発生装置の少なくとも一部に隣接して配置されており、
上記熱制御構造体は、上記電気化学エネルギー発生装置の上記一部から熱を移送するように構成されており、
上記車両は、電源を使用し、
上記高熱伝導率体は、外側表面および内側表面を有するハウジングの中の少なくとも１つの構成要素を覆っており、
上記少なくとも１つの構成要素は、カソードまたはアノードを含み、
上記高熱伝導率体は、上記カソードまたは上記アノードの一部と一体化していることを特徴とする電気化学エネルギー発生装置の温度変更システム。
【請求項３１】
外側表面および内側表面を有するハウジングと、
上記ハウジングの中の少なくとも１つの構成要素と、
上記ハウジングの少なくとも１つの上記内側表面、または、上記の少なくとも１つの内部構成要素に結合されている複数のマイクロチャネルと、
上記マイクロチャネルに結合されているヒートシンクと、
を備えており、
上記少なくとも１つの構成要素は、上記ハウジングの中に存在する少なくとも１つの他の構成要素、化学物質、または物質と共同で、電気エネルギーを発生するように構成されており、
少なくとも１つのマイクロチャネルは、高熱伝導率体で少なくとも部分的に形成されており、
上記高熱伝導率体は、高ｋ値を有しており、
上記高ｋ値は、４１０Ｗ／（ｍ・Ｋ）よりも大きく、
上記ヒートシンクは、上記マイクロチャネルを通過して流れる流体を介して、上記マイクロチャネルの表面に熱エネルギーを移送するように、または、当該表面から熱エネルギーを移送するように構成されており、
上記高熱伝導率体は、上記少なくとも１つの構成要素を覆っており、
上記少なくとも１つの構成要素は、カソードまたはアノードを含み、
上記高熱伝導率体は、上記カソードまたは上記アノードの一部と一体化していることを特徴とする電気化学エネルギー発生装置。
【請求項３２】
外側表面および内側表面を有するハウジングと、
上記ハウジングの中の少なくとも１つの構成要素と、
４００Ｗ／（ｍ・Ｋ）より大きなｋ値を有する高ｋ値高熱伝導率体とを含み、
上記少なくとも１つの構成要素は、上記ハウジングの中に存在する他の、要素、化学物質、または物質と共同で、電力を発生するよう構成されており、
上記高熱伝導率体は、上記ハウジングの少なくとも１つの上記内側表面または上記少なくとも１つの構成要素と結合しており、
上記高熱伝導率体は、上記少なくとも１つの構成要素を覆っており、
上記少なくとも１つの構成要素は、カソードまたはアノードを含み、
上記高熱伝導率体は、上記カソードまたは上記アノードの一部と一体化していることを特徴とする電気エネルギー蓄積装置。
【請求項３３】
高熱伝導率体でできた複数の熱制御構造体に結合されている、制御可能な流れを伴う流体流動システムと、
電気エネルギー蓄積装置に結合されている電気的特性センサーと、
制御アルゴリズムが組み込まれており、制御可能な流れを伴う制御システムの機能を上記電気エネルギー蓄積装置の少なくとも１つの状態の関数として制御するように構成されている制御装置と、
を備えており、
上記高熱伝導率体は、高ｋ値を有しており、
上記高ｋ値は、４１０Ｗ／（ｍ・Ｋ）よりも大きく、
上記熱制御構造体は、上記電気エネルギー蓄積装置の少なくとも一部に隣接して配置されており、
上記熱制御構造体は、上記電気エネルギー蓄積装置の上記一部から熱を移送するように構成されており、
上記高熱伝導率体は、外側表面および内側表面を有するハウジングの中の少なくとも１つの構成要素を覆っており、
上記少なくとも１つの構成要素は、カソードまたはアノードを含み、
上記高熱伝導率体は、上記カソードまたは上記アノードの一部と一体化していることを特徴とする電気エネルギー蓄積装置の温度変更システム。
【請求項３４】
高熱伝導率体でできた複数の熱制御構造体に結合されている制御可能な流体流動装置と、
電気エネルギー蓄積装置に結合されている電気的特性センサーと、
携帯型装置のプロセッサと、
制御アルゴリズムが組み込まれており、上記制御可能な流体流動装置の機能を携帯型装置の状態の関数として制御するように構成されている制御装置と、
を備えており、
上記高熱伝導率体は、高ｋ値を有しており、
上記高ｋ値は、４１０Ｗ／（ｍ・Ｋ）よりも大きく、
上記熱制御構造体は、上記電気エネルギー蓄積装置の少なくとも一部に隣接して配置されており、
上記熱制御構造体は、上記電気エネルギー蓄積装置の上記一部から熱を移送するように構成されており、
上記プロセッサは、少なくとも１つの携帯型装置の状態を決定するように構成されており、
上記携帯型装置は、上記電気エネルギー蓄積装置からの電流を使用し、
上記高熱伝導率体は、外側表面および内側表面を有するハウジングの中の少なくとも１つの構成要素を覆っており、
上記少なくとも１つの構成要素は、カソードまたはアノードを含み、
上記高熱伝導率体は、上記カソードまたは上記アノードの一部と一体化していることを特徴とする電気エネルギー蓄積装置の温度変更システム。
【請求項３５】
高熱伝導率体でできた複数の熱制御構造体に結合されている制御可能な流体流動装置と、
電気エネルギー蓄積装置に結合されている電気的特性センサーと、
携帯型装置のプロセッサと、
制御アルゴリズムが組み込まれており、上記携帯型装置の状態の機能を制御するように構成されている制御装置と、
を備えており、
上記高熱伝導率体は、高ｋ値を有しており、
上記高ｋ値は、４１０Ｗ／（ｍ・Ｋ）よりも大きく、
上記熱制御構造体は、電気エネルギー蓄積装置の少なくとも一部に隣接して配置されており、
上記熱制御構造体は、上記電気エネルギー蓄積装置の上記一部から熱を移送するように構成されており、
上記プロセッサは、少なくとも１つの上記携帯型装置の状態を決定するように構成されており、
上記携帯型装置は、上記電気エネルギー蓄積装置からの電流を使用し、
上記高熱伝導率体は、外側表面および内側表面を有するハウジングの中の少なくとも１つの構成要素を覆っており、
上記少なくとも１つの構成要素は、カソードまたはアノードを含み、
上記高熱伝導率体は、上記カソードまたは上記アノードの一部と一体化していることを特徴とする電気エネルギー蓄積装置の温度変更システム。
【請求項３６】
高熱伝導率体でできた複数の熱制御構造体に結合されている制御可能な流体流動装置と、
少なくとも１つの車両の状態を決定するように構成されているプロセッサと、
上記プロセッサに結合されており、少なくとも１つの車両の特性を検出するように構成されている車両センサーと、
制御アルゴリズムが組み込まれており、上記制御可能な流体流動装置の機能を上記少なくとも１つの車両の状態の関数として制御するように構成されている制御装置と、
を備えており、
上記高熱伝導率体は、高ｋ値を有しており、
上記高ｋ値は、４１０Ｗ／（ｍ・Ｋ）よりも大きく、
上記熱制御構造体は、電気エネルギー蓄積装置の少なくとも一部に隣接して配置されており、
上記熱制御構造体は、上記電気エネルギー蓄積装置の上記一部から熱を移送するように構成されており、
上記車両は、上記電気エネルギー蓄積装置を使用し、
上記高熱伝導率体は、外側表面および内側表面を有するハウジングの中の少なくとも１つの構成要素を覆っており、
上記少なくとも１つの構成要素は、カソードまたはアノードを含み、
上記高熱伝導率体は、上記カソードまたは上記アノードの一部と一体化していることを特徴とする電気エネルギー蓄積装置の温度変更システム。
【請求項３７】
高熱伝導率体でできた複数の熱制御構造体に結合されている制御可能な流体流動装置と、
少なくとも１つの車両の状態を決定するように構成されているプロセッサと、
上記プロセッサに結合されており、少なくとも１つの車両の特性を検出するように構成されている車両センサーと、
制御アルゴリズムが組み込まれており、車両の状態に基づいて車両の機能を制御するように構成されている制御装置と、
を備えており、
上記高熱伝導率体は、高ｋ値を有しており、
上記高ｋ値は、４１０Ｗ／（ｍ・Ｋ）よりも大きく、
上記熱制御構造体は、電気エネルギー蓄積装置の少なくとも一部に隣接して配置されており、
上記熱制御構造体は、上記電気エネルギー蓄積装置の上記一部から熱を移送するように構成されており、
上記車両は、電源を使用し、
上記高熱伝導率体は、外側表面および内側表面を有するハウジングの中の少なくとも１つの構成要素を覆っており、
上記少なくとも１つの構成要素は、カソードまたはアノードを含み、
上記高熱伝導率体は、上記カソードまたは上記アノードの一部と一体化していることを特徴とする電気エネルギー蓄積装置の温度変更システム。
【発明の詳細な説明】
【発明の詳細な説明】
【０００１】
［関連出願の相互参照］
本願は、以下に挙げる出願（「関連出願」）からの最先の有効出願日の利益に関し、これを主張する（例えば、仮特許出願以外について最先の有効出願日を主張する、または、仮特許出願について、また、関連出願のあらゆる親出願、親出願の親出願、さらにその親出願等についての合衆国法典第３５巻第１１９条（ｅ）の利益を主張する）。
【０００２】
米国特許商標局の法定外要件のため、本願は、本願と同時に出願された、Alistair K. Chan、Roderick A. Hyde、Jordin T. Kare、およびLowell L. Wood, Jrらを発明者とする、SYSTEM AND METHOD OF ALTERING TEMPERATURE OF AN ELECTRICAL ENERGY STORAGE DEVICE OR AN ELECTROCHEMICAL ENERGY GENERATION DEVICE USING HIGH THERMAL CONDUCTIVITY MATERIALSという名称の米国特許出願第１２／４５５，０３４号明細書の一部継続出願を構成している。この米国特許出願は、現在、同時係属中、または、現在の同時係属出願が出願日の利益を得る資格がある出願である。
【０００３】
米国特許商標局の法定外要件のため、本願は、本願と同時に出願された、Alistair K. Chan、Roderick A. Hyde、Jordin T. Kare、およびLowell L. Wood, Jrらを発明者とする、METHOD OF OPERATING AN ELECTRICAL ENERGY STORAGE DEVICE USING MICROCHANNELS DURING CHARGE AND DISCHARGEという名称の米国特許出願第１２／４５５，０２０号明細書の一部継続出願を構成している。この米国特許出願は、現在、同時係属中、または、現在の同時係属出願が出願日の利益を得る資格がある出願である。
【０００４】
米国特許商標局の法定外要件のため、本願は、本願と同時に出願された、Alistair K. Chan、Roderick A. Hyde、Jordin T. Kare、およびLowell L. Wood, Jrらを発明者とする、METHOD OF OPERATING AN ELECTRICAL ENERGY STORAGE DEVICE OR AN ELECTROCHEMICAL ENERGY GENERATION DEVICE USING HIGH THERMAL CONDUCTIVITY MATERIALS DURING CHARGE AND DISCHARGEという名称の米国特許出願第１２／４５５，０３６号明細書の一部継続出願を構成している。この米国特許出願は、現在、同時係属中、または、現在の同時係属出願が出願日の利益を得る資格がある出願である。
【０００５】
米国特許商標局の法定外要件のため、本願は、本願と同時に出願された、Alistair K. Chan、Roderick A. Hyde、Jordin T. Kare、およびLowell L. Wood, Jrらを発明者とする、SYSTEM FOR ALTERING TEMPERATURE OF AN ELECTRICAL ENERGY STORAGE DEVICE OR AN ELECTROCHEMICAL ENERGY GENERATION DEVICE USING MICROCHANNELS BASED ON STATES OF THE DEVICEという名称の米国特許出願第１２／４５５，０１５号明細書の一部継続出願を構成している。この米国特許出願は、現在、同時係属中、または、現在の同時係属出願が出願日の利益を得る資格がある出願である。
【０００６】
米国特許商標局の法定外要件のため、本願は、本願と同時に出願された、Alistair K. Chan、Roderick A. Hyde、Jordin T. Kare、およびLowell L. Wood, Jrらを発明者とする、SYSTEM FOR ALTERING TEMPERATURE OF AN ELECTRICAL ENERGY STORAGE DEVICE OR AN ELECTROCHEMICAL ENERGY GENERATION DEVICE USING HIGH THERMAL CONDUCTIVITY MATERIALS BASED ON STATES OF THE DEVICEという名称の米国特許出願第１２／４５５，０１９号明細書の一部継続出願を構成している。この米国特許出願は、現在、同時係属中、または、現在の同時係属出願が出願日の利益を得る資格がある出願である。
【０００７】
米国特許商標局の法定外要件のため、本願は、本願と同時に出願された、Alistair K. Chan、Roderick A. Hyde、Jordin T. Kare、およびLowell L. Wood, Jrらを発明者とする、SYSTEM FOR OPERATING AN ELECTRICAL ENERGY STORAGE DEVICE OR AN ELECTROCHEMICAL ENERGY GENERATION DEVICE USING MICROCHANNELS BASED ON MOBILE DEVICE STATES AND VEHICLE STATESという名称の米国特許出願第１２／４５５，０２３号明細書の一部継続出願を構成している。この米国特許出願は、現在、同時係属中、または、現在の同時係属出願が出願日の利益を得る資格がある出願である。
【０００８】
米国特許商標局の法定外要件のため、本願は、本願と同時に出願された、Alistair K. Chan、Roderick A. Hyde、Jordin T. Kare、およびLowell L. Wood, Jrらを発明者とする、SYSTEM AND METHOD OF OPERATING AN ELECTRICAL ENERGY STORAGE DEVICE OR AN ELECTROCHEMICAL ENERGY GENERATION DEVICE USING THERMAL CONDUCTIVITY MATERIALS BASED ON MOBILE DEVICE STATES AND VEHICLE STATESという名称の米国特許出願第１２／４５５，０３７号明細書の一部継続出願を構成している。この米国特許出願は、現在、同時係属中、または、現在の同時係属出願が出願日の利益を得る資格がある出願である。
【０００９】
米国特許商標局の法定外要件のため、本願は、本願と同時に出願された、Alistair K. Chan、Roderick A. Hyde、Jordin T. Kare、およびLowell L. Wood, Jrらを発明者とする、SYSTEM AND METHOD OF OPERATING AN ELECTRICAL ENERGY STORAGE DEVICE OR AN ELECTROCHEMICAL ENERGY GENERATION DEVICE, DURING CHARGE OR DISCHARGE USING MICROCHANNELS AND HIGH THERMAL CONDUCTIVITY MATERIALSという名称の米国特許出願第１２／４５５，０１６号明細書の一部継続出願を構成している。この米国特許出願は、現在、同時係属中、または、現在の同時係属出願が出願日の利益を得る資格がある出願である。
【００１０】
米国特許商標局の法定外要件のため、本願は、本願と同時に出願された、Alistair K. Chan、Roderick A. Hyde、Jordin T. Kare、およびLowell L. Wood, Jrらを発明者とする、SYSTEM AND METHOD OF OPERATING AN ELECTRICAL ENERGY STORAGE DEVICE OR AN ELECTROCHEMICAL ENERGY GENERATION DEVICE USING MICROCHANNELS AND HIGH THERMAL CONDUCTIVITY MATERIALSという名称の米国特許出願第１２／４５５，０２５号明細書の一部継続出願を構成している。この米国特許出願は、現在、同時係属中、または、現在の同時係属出願が出願日の利益を得る資格がある出願である。
【００１１】
米国特許商標局（ＵＳＰＴＯ）は、ＵＳＰＴＯのコンピュータプログラムにおいて、特許出願人が、整理番号、および、出願が継続中かまたは一部継続中かの表示の両方の参照を必要とすることに関する通知を発表した。これは「先願の利益」と題された、Stephen G. Kuninによる通知（２００３年３月１８日付ＵＳＰＴＯ官報）であり、http://www.uspto.gov/web/office/com/sol/og/2003/week11/patbene.htm で閲覧可能である。本願の出願団体（以下、「出願人」）は、法令に則って優先権が主張されている出願に対する特定の参照を上で示している。出願人は、米国に対し優先権を主張するために、法令は特定の参照言語において一義的であり、米国特許出願の優先権を主張するための整理番号または「継続中」もしくは「一部継続中」等のいかなる特徴も必要としないと理解している。しかしながら、出願人は、ＵＳＰＴＯのコンピュータプログラムが所定のデータ入力要件を有すると理解しているので、上記のように本願をその親出願の一部継続出願として表示するが、このような表示は、本願がその親出願に含まれる事項に加えて何らかの新規事項を含んでいるか否かについて、あらゆるタイプの注釈および／または承認であるように解釈されるべきではない。
【００１２】
関連出願の全ての主題、および、関連出願の親出願、親出願の親出願、さらにその親出願等の何れかまたは全ての主題は、参照することによって、このような主題が本明細書と一貫性を有する範囲で本明細書に組み込まれるものとする。
【００１３】
［背景技術］
本明細書における記載は、一般に、電気エネルギー蓄積装置または電気化学エネルギー発生装置のための熱制御システムの分野に関連している。従来、電気エネルギー蓄積装置または電気化学エネルギー発生装置の冷却は、熱伝導および対流の幾つかの組み合わせによって為されている。熱伝導による冷却は、対流による冷却よりも簡単であり、流体が必要であっても不要であってもよいが、従来、物質の熱伝導率によって限定されてきた。これまで電気エネルギー蓄積装置に用いられてきた最大熱伝導率体は、銅（ｋ＝３８５．０Ｗ／（ｍ・Ｋ））、銀（ｋ＝４０６．０Ｗ／（ｍ・Ｋ））、アルミニウム（ｋ＝２０５．０Ｗ／（ｍ・Ｋ））のような金属である。
【００１４】
また、電気エネルギー蓄積装置および電気化学エネルギー発生装置の中には、冷却、最小動作温度より高温での装置の全部または一部の加熱、または、最適動作範囲内での温度制御以外の温度制御を必要とするものもある。
【００１５】
従来、様々な構造体および様々な使用がある中で、高熱伝導率体等の使用による、電気エネルギー蓄積装置または電気化学エネルギー発生装置の熱制御のための有効な構造体および方法の必要性が存在する。また、電気エネルギー蓄積装置または電気化学エネルギー発生装置の温度の制御または変更の必要性が存在する。
【００１６】
［発明の概要］
１つの態様では、エネルギー蓄積装置または電気化学エネルギー発生装置の熱制御の方法が、外側表面および内側表面を有するハウジングを設けることを含んでいる。当該方法は、当該ハウジングの中に少なくとも１つの構成要素を設けることも含んでいる。当該少なくとも１つの構成要素は、当該ハウジングの中に存在する他の構成要素、化学物質、または物質と共同で、電力を発生するように構成されている。更に、当該方法は、当該ハウジングの少なくとも１つの内側表面、または、少なくとも１つの内部構成要素に結合されている、高熱伝導率体の複数の熱制御構造体を形成することを含んでいる。当該高熱伝導率体は、高ｋ値を有しており、当該高ｋ値は、略４００Ｗ／（ｍ・Ｋ）よりも大きい。
【００１７】
他の態様では、エネルギー蓄積装置または電気化学エネルギー発生装置の熱制御の方法が、外側表面および内側表面を有するハウジングを設けることを含んでいる。当該方法は、当該ハウジングの中に少なくとも１つの構成要素を設けることも含んでおり、少なくとも１つの構成要素は、当該ハウジングの中に存在する他の構成要素、化学物質、または物質と共同で、電力を発生するように構成されている。また、当該方法は、当該ハウジングの少なくとも１つの内側表面、または、少なくとも１つの内部構成要素に結合されている複数の熱移送構造体を形成することを含んでいる。更に、当該方法は、複数の熱制御構造体に隣接して流体を流すことを含んでいる。更に、当該方法は、ヒートシンクに熱を移送すること、または、当該ヒートシンクから熱を移送することを含んでおり、当該ヒートシンクは、高ｋ値を有する高熱伝導率体を少なくとも部分的に形成しており、当該高ｋ値は、略４００Ｗ／（ｍ・Ｋ）よりも大きい。更に、当該方法は、高熱伝導率体に熱を移送するために、または、当該高熱伝導率体から熱を移送するために、当該高熱伝導率体に隣接して流体を流すことを含んでいる。
【００１８】
上記に加え、他の方法の態様が、本開示の一部を形成している特許請求の範囲、図面、および本文において記載されている。
【００１９】
１つ以上の様々な態様では、関連するシステムが、本明細書にて参照される方法の態様を実行する回路および／またはプログラミングを含んでいるが、これに限定されない。当該回路および／または当該プログラミングは、デザイン設計者のデザイン選択に依存した、本明細書にて参照される方法の態様を実行するように構成されているハードウェア、ソフトウェア、またはファームウェアの実際の何れの組み合わせであってもよい。また、様々な構造的要素がシステム設計者のデザイン選択に依存して用いられてもよい。
【００２０】
１つの態様では、電気エネルギー蓄積装置または電気化学エネルギー発生装置が、外側表面および内側表面を有するハウジングを備えている。当該電気エネルギー蓄積装置または当該電気化学エネルギー発生装置は、当該ハウジングの中に少なくとも１つの構成要素を備えている。当該少なくとも１つの構成要素は、当該ハウジングの中に存在する他の構成要素、化学物質、または物質と共同で、電力を発生するように構成されている。当該電気エネルギー蓄積装置または当該電気化学エネルギー発生装置は、高ｋ値を有する高熱伝導率体も備えている。当該高熱伝導率体は、当該ハウジングの少なくとも１つの内側表面、または、少なくとも１つの内部構成要素に結合されている。当該高熱伝導率体は、熱エネルギーを除去するための流体に接触するための構造で形成されている。当該高ｋ値は、略４００Ｗ／（ｍ・Ｋ）よりも大きい。
【００２１】
上記に加えて、他のシステムの態様が、本開示の一部を形成している特許請求の範囲、図面、および本文において記載されている。
【００２２】
上記に加えて、様々な他の方法および／またはシステムおよび／またはプログラム製品の態様が、本開示に係る本文（例えば、特許請求の範囲および／または詳細な説明）および／または図面のような教示において明記され記載されている。
【００２３】
上記は概要であり、それ故、必然的に詳細の簡略化、一般化、および省略を含む。従って、当業者であれば、本概要は説明のみのためであり、何れの点においても限定するようには意図されていないことを理解するであろう。本明細書に記載されている装置および／またはプロセスおよび／または他の主題に係る他の態様、特徴、および利点は、本明細書において説明されている教示において明らかになるであろう。
【００２４】
［図面の簡単な説明］
上記の概要は説明のみのためであり、何れの点においても限定するようには意図されていないことを理解するであろう。上述の説明的な態様、実施形態、および特徴に加えて、更なる態様、実施形態、および特徴が、以下の図面および詳細な説明を参照することによって明らかになるであろう。
【００２５】
図１は、電気エネルギー蓄積装置または電気化学エネルギー発生装置に関連した例示的なマイクロチャネル温度変更システムである。
【００２６】
図２は、複数のマイクロチャネルの断面図および切取内部図の例示的な図である。
【００２７】
図３は、電気エネルギー蓄積装置または電気化学エネルギー発生装置の温度を変更するための例示的なプロセスの図である。
【００２８】
図４は、電気エネルギー蓄積装置または電気化学エネルギー発生装置の温度を変更するための例示的なプロセスの図である。
【００２９】
図５は、放電期間における電気エネルギー蓄積装置または電気化学エネルギー発生装置の温度を変更するための例示的なプロセスの図である。
【００３０】
図６は、放電期間における電気エネルギー蓄積装置または電気化学エネルギー発生装置の温度を変更するための例示的なプロセスの図である。
【００３１】
図７は、充電期間における電気エネルギー蓄積装置の温度を変更するための例示的なプロセスの図である。
【００３２】
図８は、充電期間における電気エネルギー蓄積装置の温度を変更するための例示的なプロセスの図である。
【００３３】
図９は、充電期間における電気エネルギー蓄積装置の温度を変更するための例示的なプロセスの図である。
【００３４】
図１０は、電気エネルギー蓄積装置または電気化学エネルギー発生装置に関連した、装置の温度を変更させる例示的な高熱伝導率体（高熱伝導率物質）である。
【００３５】
図１１は、高熱伝導率体を使用する電気エネルギー蓄積装置または電気化学エネルギー発生装置の温度を変更させるための例示的なプロセスの図である。
【００３６】
図１２は、放電期間における高熱伝導率体を使用する電気エネルギー蓄積装置または電気化学エネルギー発生装置の温度を変更させるための例示的なプロセスの図である。
【００３７】
図１３は、放電期間における高熱伝導率体を使用する電気エネルギー蓄積装置または電気化学エネルギー発生装置の例示的なプロセスの図である。
【００３８】
図１４は、放電期間における電気エネルギー蓄積装置または電気化学エネルギー発生装置の温度を変更させるための例示的なプロセスの図である。
【００３９】
図１５は、充電期間における高熱伝導率体を使用する電気エネルギー蓄積装置のための例示的なプロセスの図である。
【００４０】
図１６は、充電期間における高熱伝導率体を使用する電気エネルギー蓄積装置の温度を変更させるための例示的なプロセスの図である。
【００４１】
図１７は、マイクロチャネルマニホールドシステムの例示的なブロック図である。
【００４２】
［詳細な説明］
以下の詳細な説明では、本明細書の一部を形成している添付の図面を参照している。図面では、特に明記しない限り、典型的に同様の符号により同様の構成要素であると見なされる。詳細な説明、図面および特許請求の範囲にて記載されている例示的な実施形態は、限定的なものではない。本明細書に記載されている主題の精神または範疇から逸脱せずに、他の実施形態が利用されてもよく、他の変更が為されてもよい。当業者であれば、このシステムの態様をハードウェアで実行することとソフトウェアで実行することとの間にほとんど差異がないところにまで最新技術が進歩していることを理解するであろう。ハードウェアを使用するか、またはソフトウェアを使用するかは、一般に、コストと効率とのトレードオフに表されるように設計事項である（が、あるコンテクストにおいてはハードウェアかソフトウェアかの選択は重要になり得るという点において、何時でもという訳ではない）。当業者であれば、本明細書に記載のプロセスおよび／またはシステムおよび／または他の技術（例えば、ハードウェア、ソウトウェア、および／またはファームウェア）が実行される様々な車両が存在すること、および、好適な車両は、当該プロセスおよび／またはシステムおよび／または他の技術が配置されるコンテクストに伴って変化することを十分に理解するであろう。例えば、開発者が、速度および精度が最重要であると決定する場合、開発者は、大部分はハードウェアおよび／またはファームウェアの車両を選んでもよく、柔軟性が最重要である場合、開発者は、大部分がソフトウェアでの実行を選んでもよく、またはその代わりに、開発者は、ハードウェア、ソフトウェア、および／またはファームウェアの幾つかの組み合わせを選んでもよい。従って、本明細書に記載のプロセスおよび／または装置および／または他の技術が実行され得る幾つかの車両が存在しており、利用される何れの車両も、車両が配置されるコンテクスト、および、何れもが可変である開発者の特定の関心事（例えば、速度、柔軟性、または予測可能性）に依存した選択物であるという点において、何れの車両も本質的に他より優れてはいない。当業者であれば、光学的な実行態様では、光学的に向きつけられたハードウェア、ソフトウェア、および／またはファームウェアが典型的に用いられることを理解するであろう。
【００４３】
集積回路を冷却するために用いられるマイクロチャネルは、１９８０年代より考えられており、Dr. David Tuckerman教授およびDr. Fabian Pease教授により公開されたリサーチにおいて開示されている。Pease教授は、シリコンにエッチングされたマイクロチャネルは平方センチ当たり１０００Ｗと同程度に高い密度を提供することを示すリサーチを公開した。このようなマイクロチャネル構造は、集積回路を冷却することに実際に使用されるようになると示されている。米国特許第４，５４１，０４０号明細書、米国特許第７，１５６，１５９号明細書、米国特許第７，１８５，６９７号明細書、および、米国特許出願公開第２００６／０２３１２３３号明細書に記載されている構造も同様であり、これらの明細書の全ては参照により本明細書に組み込まれるものとする。しかしながら、電気エネルギー蓄積装置または電気化学エネルギー発生装置の熱制御に実際に適用することは、実現または提案されていない。このようなマイクロチャネル構造は、特に超高出力密度電池、または、例えばハイパーキャパシタまたは燃料電池（これに限らない）のような電気化学エネルギー発生装置のような他の電気的蓄積装置のような装置から、実際に熱を排除することに適している。マイクロチャネル冷却器、および、これに限らないが、ダイアモンドフィルム、マイクロヒートパイプ、マイクロチャネルプレート等のパッシブ高熱伝導率体（高熱伝導率物質）が、特に急速充電の間および／または急速放電の間に高熱負荷および高熱出力密度が発生してしまう超高性能ナノ構造電池等の熱制御を実現するために使用されてもよい。このような装置の例として、米国特許出願公開第２００８／００４４７２５号明細書に記載の電気エネルギー蓄積装置が挙げられ、この明細書は参照することにより本明細書に組み込まれる。この参照は、このような高出力密度電気エネルギー蓄積装置により実現される幾つかの要求をもまた記載している。
【００４４】
マイクロ構造マイクロチャネル集熱装置およびヒートシンクの効率は、電気エネルギー蓄積装置または電気化学エネルギー発生装置における熱発生点から比較的僅かに離れて循環しているエネルギー蓄積または電気化学エネルギー発生装置により発生される熱に起因する。この熱はマイクロチャネルの壁を通して発生されつつ伝導される。また、熱エネルギーがラジエーター等のようなヒートシンクに移送される前に、マイクロチャネルの壁からの熱は、流体に向けて非常に短い距離を伝導する。マイクロチャネルの高さが典型的に幅よりも非常に大きいというマイクロチャネル構造により、マイクロチャネルは、電気エネルギー蓄積装置または電気化学エネルギー発生装置の様々な内部部分に組み込まれてもよい。例えば、マイクロチャネル熱制御の構造は、電池または電気化学エネルギー発生装置のアノードまたはカソードに組み込まれてもよい。更に、マイクロチャネル構造は、電気エネルギー蓄積装置または電気化学エネルギー発生装置のハウジングの壁に一体化されてもよい。更に、マイクロチャネル構造は、電気エネルギー蓄積装置または電気化学エネルギー発生装置の他の内部部分に組み込まれてもよい。
【００４５】
マイクロチャネル構造を使用する１つの利点に、チャネル内部の乱流が熱交換効率を増加する必要がない点が挙げられる。マイクロチャネル構造は、乱流を必要としたり、乱流を生成したりしない。従来のマイクロチャネルは、冷却効率を増加させるために乱流を必要としており、さもなくば、チャネル中央部を流れる流体は、比較的冷たいままである。流体チャネル内部の乱流は、チャネルの壁に隣接する熱い流体と、チャネル中央部の、より冷たい流体とを混合する。しかしながら、このような乱流および混合は、冷却効率を減少させてしまう。その代わり、マイクロチャネルは、熱交換係数「ｈ」がチャネル幅に逆比例するという利点を有している。「ｈ」が減少するにつれて効率が増加する。チャネルが非常に狭いので、流体の非常に薄い層が集熱装置を通過して循環するにつれて、当該層は完全に加熱される。
【００４６】
以下に限らないが、携帯型装置、電気自動車、ハイブリッド型電気自動車等のような適用例に用いられる、電気エネルギー蓄積装置または電気化学エネルギー発生装置のための小型の熱制御システムは、高熱伝導率体で少なくとも部分的に形成されている集熱装置またはマイクロチャネル集熱装置を有しているマイクロ熱交換器に基づいていてもよい。このようなマイクロチャネル集熱装置は、シリコンや他の金属、または、高熱伝導率体を含んだ他の物質に機械加工されまたは組み立てられてもよく、以下に限らないが、電気浸透ポンプまたは他のポンプ等を含んだアクティブポンプシステムまたはパッシブシステムを使用してもよい。このようなシステムは、マイクロチャネル集熱装置の一部または高熱伝導率体集熱装置の一部が電気エネルギー蓄積装置または電気化学エネルギー発生装置のハウジングの中に配置されるモジュール方式にて構成される密封された閉システムであってもよい。マイクロチャネル集熱装置または他の集熱装置が、電気エネルギー蓄積装置または電気化学エネルギー発生装置の部分的に直接組み込まれる、または、機械加工されるような他の構成であってもよい。このようなマイクロチャネル熱交換器および上記のようなシステムは、システム全体が極端に小型の出力効率システムとして形成されてもよく、同種の電気エネルギー蓄積装置または電気化学エネルギー発生装置から熱を排除するために従来用いられるヒートパイプ、蒸気チャンバ、および、他の熱交換装置に増加した性能特性を提供する。
【００４７】
図１は、電気エネルギー蓄積装置または電気化学エネルギー発生装置１１０のための熱制御システム１００を表している。電気エネルギー蓄積装置または電気化学エネルギー発生装置１１０は、以下に限らないが、任意の複数の電池、または、以下に限らないが、リチウムに基づく電池、リチウムイオン電池、リチウムイオン・ナノ・リン酸塩電池、リチウム硫黄電池、リチウムイオン・ポリマー電池、ナトリウム硫黄電池等の電気化学セルを備えている。実際に、このような熱制御技術は、既存のまたは開発中の任意の典型的なタイプの電気化学セルに適用され得る。また、他のタイプの電気エネルギー蓄積装置が、以下に限らないが、容量性の蓄積装置、誘電性の蓄積装置、電解コンデンサ、（参照することにより共に本明細書に組み込まれる米国特許出願公開第２００４／００７１９４４号明細書および米国特許第７４２８１３７号明細書に記載されているような）ハイパーキャパシタ、ポリフッ化ビニリデン（ＰＶＤＦ）樹脂キャパシタ、カーボンナノチューブに基づくキャパシタ、他の導電性ポリマーに基づくキャパシタ、カーボンエアロゲルに基づくキャパシタ等を含んだキャパシタ装置のような電池１１０の代わりに用いられてもよい。更に、エネルギー蓄積装置または電気化学エネルギー発生装置１１０は、（参照することにより本明細書に組み込まれる米国特許出願公開第２００９／００６８５２１号明細書に記載されているような）燃料電池の代表的なもの、または、既知や既存の他の電気化学エネルギー発生装置であってもよい。
【００４８】
電気エネルギー蓄積装置または電気化学エネルギー発生装置１１０は、内壁表面１１４および外壁表面１１２を伴うハウジングの壁を有するハウジング１１２を含む。ハウジング１１２の内壁表面１１４には、電気エネルギー蓄積装置または電気化学エネルギー発生装置１１０の構成しだいで、電解質１２４または他の物質が満たされていてもよい。電気エネルギー蓄積装置または電気化学エネルギー発生装置１１０は、導体１２６によって陽極１２７に結合されているカソード１２０を含む。例示的な実施形態では、負荷１２０が多くのマイクロチャネル構造１３２を含む。カソード１２０から放出される熱がマイクロチャネル構造１３２によって集められるように、マイクロチャネル構造１３２はカソード１２０と一体化しているか、さもなくば、カソード１２０に重なり合わされている、または、結合している。このようなマイクロチャネル構造１３２は、エッチング、マイクロ機械加工等を含んだ様々な方法の何れかによって形成されている。この分野ではよく知られている、カソード１２０を形成するための様々な物質が、電気エネルギー蓄積装置または電気化学エネルギー発生装置１１０のタイプに依存して用いられてもよい。流体接続部１３６が、マイクロチャネル１３２に結合されている。流体接続部１３６は、ポンプ１４０を通してヒートシンク１３８に結合されている。このようなヒートシンク１３８は、ラジエーターまたは他のヒートシンクの形状をしていてもよい。ポンプ１４０もまた、マイクロチャネル１３２を通して流体を移動させるために流体回路１３６に結合されている。１つの実施形態では、ポンプが用いられている。他の実施形態では、流体はポンプ１４０を使用せずに浸透圧等によって移動される。カソード１２０と同様に、アノード１２２は電気エネルギー蓄積装置または電気化学エネルギー発生装置１１０の陰極１２９に導体１２８によって電気的に結合されている。カソード１２０と同様に、アノード１２２もまた、アノード１２２に一体化されている、重なり合わされている、または、結合されているマイクロチャネル構造１３０を含む。マイクロチャネル構造１３０は、流体結合部１３６がヒートシンク１３８に結合されている手法と同様の手法において、流体結合部１３４によってヒートシンク１３８に流体的に結合されている。
【００４９】
例示的な実施形態では、負荷または充電源１２０が電気エネルギー蓄積装置または電気化学エネルギー発生装置１１０の陽極１２７および陰極１２９に結合されている。負荷１２０は、電気エネルギー蓄積装置または電気化学エネルギー発生装置１１０からのエネルギーを使用し得る様々な装置の何れであってもよい。充電源１２０は、電気エネルギー蓄積装置を充電するために用いられる何れのタイプの充電装置であってもよい。負荷を用いた充電の間または放電の間、大量の熱が電気エネルギー蓄積装置または電気化学エネルギー発生装置１１０の中に発生する。それ故、上記のマイクロチャネル熱制御システムを使用することが有益である。１つの実施形態では、制御装置１６０がポンプ１４０に結合されている。制御装置１６０は、ポンプ１４０の速度を制御するためにの様々な制御装置、制御デバイスの何れであってもよい。例えば、ポンプ１４０は、電気エネルギー蓄積装置または電気化学エネルギー発生装置１１０の特性を検出するセンサー１６２に結合されていてもよい。また、制御装置１６０は、負荷または充電源１２０の使用特性を検出するために、負荷またまは充電源１２０に結合されていてもよい。制御装置１６０は、以下に限らないが、引出し電流、放電電流、電圧、電気エネルギー蓄積装置または電気化学エネルギー発生装置１１０からのエネルギーを使用する装置の様々な状態や電気エネルギー蓄積装置または電気化学エネルギー発生装置１１０を使用する車両の様々な可変の状態、または、充電源１２０の他の状態を含んだ要因に基づいてポンプ１４０を制御するために用いられてもよい。
【００５０】
例示的な実施形態によれば、放電またはエネルギーの要求もしくは充電のような熱を発生する事象を見越して電気エネルギー蓄積装置または電気化学エネルギー発生装置を冷却することが望ましい。熱を発生する事象を見越して冷却することにより、熱制御システムは冷却の要求についていくことがより可能になる。これはある意味、冷却システムにとっての「有利なスタート」である。例示的な実施形態では、「有利なスタート」は、いつエネルギーが必要になるのか、または、いつ充電が生じるのかに関して、システムを監視するための、または、決定を為すためのプログラムによって実行可能なプロセッサにより決定される。他の例示的な実施形態では、「有利なスタート」は、スケジュールに従って、または、規定のまたは所定の他の時間に従って為される。
【００５１】
図２は、例示的なカソード１２０の斜視断面図を表している。図２の断面図は、カソード１２０に埋め込まれた、または、カソード１２０に一体化されたマイクロチャネル１３２を表している。マイクロチャネル１３２は、部分的に切れて示されている上部部分１３３を有する密封された流体導管である。従来、マイクロチャネル１３２は、以下に限らないが、人間の毛髪の幅と同じオーダーである極端に小さな幅を有するので、マイクロチャネル１３２は目盛り付きの表示にて示されてはいない。効率の良い層流の熱制御を実現するために、マイクロチャネル１３２の高さは幅に対して非常に大きい。流体の流れに接触する、マイクロチャネル構造の表面領域が、マイクロチャネルの高アスペクト比により増加する。マイクロチャネル１３２の幅は、以下に限らないが、１０μｍのオーダーである。図２は、マイクロチャネルが隣り合って配置されつつ、流体回路を完成させるために、流体が平行なマイクロチャネルの全てを通過して流れる、または、当該流体が各マイクロチャネルを通って前後に（蛇行して）連続して流れるマイクロチャネル１３２の単一の構成を表している。他の多くのマイクロチャネルの構成もまた、本開示および本特許請求の範囲に記載の発明の範疇から逸脱することなく考えられる。
【００５２】
図１７は、マイクロチャネル１７２０を支える複数の基板１７１０を支える、マイクロチャネル熱制御システムの他の構成１７００を表す。基板１７１０は、上述の電気エネルギー蓄積装置または電気化学エネルギー発生装置の構成要素の何れかに一体化または結合されていてもよい。マイクロチャネル１７２０は、流体が入口マニホールド１７３０から出口マニホールド１７４０に流れるような平行な構成または他の構成の何れであってもよい。このような流れは、マイクロチャネルの入口１７５０およびマイクロチャネルの出口１７６０を通るマイクロチャネルの何れの複数の組を通過してもよい。更に他の構成では、マイクロチャネルの各組は、マイクロチャネルの組の間に１つ以上の相互接続を備えている。このように構成することによって、以下に限らないが、所望の性能特性、製造特性、および、適用特性を含んだ多くの利点が生じる。
【００５３】
１つの実施形態では、電気エネルギー蓄積装置または電気化学エネルギー発生装置１１０は、ハウジング１１２を有する電気エネルギー蓄積装置である。このハウジングは、外側表面および内側表面を有してもよく、この内側表面は表面１１４として表されている。多くの構成要素が、例えば、アノード１２２およびカソード１２０を備えるハウジングの中に存在してもよい。また、他の化学物質または物質もまた、電解質１２４、または、エネルギーを発生するため、またはエネルギーを蓄積させるために必要な化学物質または物質を含むハウジングの中に存在してもよい。１つの実施形態では、複数のマイクロチャネルが、ハウジングの少なくとも１つの内側表面１１４、または、以下に限らないが、カソード１２０およびアノード１２２のような少なくとも１つの内部構成要素に結合されている。ヒートシンク１３８は、マイクロチャネル流体接続部１３６に結合されている。ヒートシンク１３８は、マイクロチャネル１３２を通過する流体に熱を移送するように、または、当該流体から熱を移送するように構成されている。１つの実施形態では、マイクロチャネルはハウジング１１４の壁の一部に形成されていてもよい。また、マイクロチャネルは、ハウジング１１２の中に存在する何れの構成要素の一部に形成されていてもよい。他の例示的な実施形態では、マイクロチャネルは、ハウジング１１２の中に配置される触媒の一部に形成されていてもよい。更に、マイクロチャネルは、電気接点、導電体、誘電体等に形成されていてもよい。また、マイクロチャネルは、これらの構成要素またはハウジングの何れに一体的に形成されていてもよく、または、これらの構成要素またはハウジングの何れに重なり合っていても、配置されていても、または、結合されていてもよい。多くの熱が発生する、または、多くの熱が集まる領域または構成要素にマイクロチャネルを結合することは有益である。
【００５４】
例示的な実施形態では、マイクロチャネル１３２を通過する流体の流れは、様々な流体の何れを含んでいてもよい。このような流体は、空気、ガス、水、不凍液、融解塩、融解金属、マイクロ粒子、液滴、固体粒子等を含んでもよい（米国特許出願公開第２００６／０２３１２３３号明細書を参照）。また、例示的な実施形態では、流体は、ポンプ、メカニカルポンプ、電磁（ＭＨＤ）ポンプ、電気浸透ポンプ等を含んだ様々な装置の何れにより、少なくとも部分的に循環されていてもよい。流体は、対流、電気浸透等を含んだ様々な手法の何れにより循環されていてもよい。更に、例示的な実施形態によれば、電気エネルギー蓄積装置は、１つ以上の電気化学セル、容量性蓄積装置、誘導性蓄積装置、電解コンデンサ、電気二重層キャパシタ、ハイパーキャパシタ、ポリフッ化ビニリデン（ＰＶＤＦ）樹脂キャパシタ、および、以下に限らないが、リチウムに基づく電池、リチウム電池、リチウムイオン電池、リチウムイオン・ナノ・リン酸塩電池、リチウム硫黄電池、リチウムイオン・ポリマー電池等を含んだ様々な電池を備えていてもよい。
【００５５】
他の例示的な実施形態によれば、電気エネルギー蓄積装置または電気化学エネルギー発生装置１１０は燃料電池である。燃料電池は、外側表面および内側表面１１４を有するハウジングを備えていてもよい。少なくとも１つの構成要素がハウジングの中に存在する。この少なくとも１つの構成要素は、ハウジングの中に存在する少なくとも１つの他の構成要素、化学物質、または物質と共同で、電力を発生するように構成されている。１つの実施形態では、このような構成要素は、以下に限らないが、カソード１２０およびアノード１２２を備えていてもよい。複数のマイクロチャネル１３２は、ハウジングの少なくとも１つの内側表面、または、少なくとも１つの内部構成要素に結合されていてもよい。ヒートシンク１３８は、マイクロチャネルに結合されている。ヒートシンク１３８は、マイクロチャネルを通過する流体に熱を移送するように、または、当該流体から熱を移送するように構成されている。１つの実施形態では、マイクロチャネルはハウジングの壁の一部、または、ハウジングの中に存在する少なくとも１つの構成要素に形成されていてもよい。電気エネルギー蓄積装置と同様に、多くの同様の構成要素がハウジングの中に存在しつつ、マイクロチャネルを備えていてもよい。また、図１に記載の電気エネルギー蓄積装置と比較して、燃料電池に特有である他の何れの構成要素もまた、このような構成要素を冷却するためにマイクロチャネルを備えていてもよい。
【００５６】
図３は、電気エネルギー蓄積装置または電気化学エネルギー発生装置の温度を制御するためのプロセス３００を表す。プロセス３００は、電気エネルギー蓄積装置または電気化学エネルギー発生装置にハウジングを設けることを含む（プロセス３１０）。プロセス３００は、ハウジングの中に電気エネルギー蓄積装置または電気化学エネルギー発生装置の構成要素を結合させることも含む（プロセス３２０）。マイクロチャネルが、電気エネルギー蓄積装置または電気化学エネルギー発生装置の構成要素の表面に形成される（プロセス３３０）。続いて、構成要素および電気エネルギー蓄積装置または電気化学エネルギー発生装置の全体に対して熱制御するために、流体がマイクロチャネルを通して流される（流動される）（プロセス３４０）。
【００５７】
図４は、電気エネルギー蓄積装置または電気化学エネルギー発生装置を使用するためのプロセス４００を表す。プロセス４００は、電気エネルギー蓄積装置または電気化学エネルギー発生装置から電流を引き出す負荷を結合させることを含む（プロセス４１０）。電気エネルギー蓄積装置または電気化学エネルギー発生装置は、外側表面および内側表面を伴うハウジングを有する。プロセス４００は、ハウジングの中の少なくとも１つの構成要素を使用する電気エネルギー蓄積装置または電気化学エネルギー発生装置によって電流を発生することを含む。少なくとも１つの構成要素は、ハウジングの中に存在する他の構成要素、化学物質、または物質と共同で、電流を発生するように構成されている（プロセス４２０）。続いて、電気エネルギー蓄積装置は、ハウジングの少なくとも１つの内側表面、または、少なくとも１つの構成要素に結合されているマイクロチャネルを通過する流体に熱を移送することにより冷却される（プロセス４３０）。続いて、熱は、マイクロチャネルに結合されているヒートシンクから排除される。ヒートシンクは、熱エネルギーをマイクロチャネルから移送するように構成されつつ、マイクロチャネルを通過する流体を受けるように構成されている（プロセス４４０）。
【００５８】
他の例示的な実施形態では、電気エネルギー蓄積装置または電気化学エネルギー発生装置に出力を供給するプロセスは、ハウジングを有しつつ、ハウジングの中に内部構成要素を備えている電気エネルギー蓄積装置または電気化学エネルギー発生装置を設けることを含む。このプロセスは、ハウジングの少なくとも１つの内部、または内部構成要素に一体化されているマイクロチャネル流体熱制御システムを設けることも含む。更に、このプロセスは、電気エネルギー蓄積装置または電気化学エネルギー発生装置を少なくとも部分的に放電するための基盤となるように電気エネルギー蓄積装置または電気化学エネルギー発生装置を構成すること、および、電気エネルギー蓄積装置からの電気エネルギーを使用することを含む。
【００５９】
更に他の例示的な実施形態では、電気エネルギー蓄積装置または電気化学エネルギー発生装置から出力を供給するプロセスは、電気エネルギー蓄積装置または電気化学エネルギー発生装置のハウジングを受けること、および、ハウジングの中に内部構成要素を備えることを含む。このプロセスは、ハウジングの少なくとも１つの内部、または、内部構成要素に一体化されているマイクロチャネル流体熱制御システムを受けることを含む。更に、このプロセスは、電気エネルギー蓄積装置または電気化学エネルギー発生装置から少なくとも部分的に出力を放電することを含む。電気エネルギー蓄積装置または電気化学エネルギー発生装置は、電気エネルギー蓄積装置または電気化学エネルギー発生装置を少なくとも部分的に放電するための基盤となるように電気エネルギー蓄積装置または電気化学エネルギー発生装置を構成すること、および、電気エネルギー蓄積装置からの電気エネルギーを使用することを含む。
【００６０】
他の例示的なプロセスは、電気エネルギー蓄積装置を充電することを含む。電気エネルギー蓄積装置は、電気エネルギー蓄積装置を充電するための電流を受けるように構成されている。電気エネルギー蓄積装置は、外側表面および内側表面を有するハウジングを備えている。電気エネルギー蓄積装置を充電するためのプロセスはまた、ハウジングの中に少なくとも１つの構成要素を構成することを含んでもよい。少なくとも１つの構成要素は、ハウジングの中に存在する他の補足的要素、化学物質、または、物質と共同で、放電段階の間は電気エネルギーを発生するように構成されている。少なくとも１つの構成要素は、充電段階の間は電荷を受けるように構成されている。この例示的なプロセスは、充電段階の間は発生した熱を受けるためにハウジングの少なくとも１つの内側表面、または、少なくとも１つの内部構成要素に結合されている複数のマイクロチャネルを設けること、および、マイクロチャネル内部に流体を供給することも含む。ヒートシンクもまた、マイクロチャネルに結合された流体から熱を集めるために設けられる。ヒートシンクは、マイクロチャネルおよびヒートシンクを通過する流体に熱エネルギーを移送するように、または、当該流体から熱エネルギーを移送するように構成される。
【００６１】
電気エネルギー蓄積装置を充電する方法は、充電源から電流を引き出すために電気エネルギー蓄積装置を設置することも含む。電気エネルギー蓄積装置は、外側表面および内側表面を有するハウジングを備えている。このプロセスは、ハウジングの中の少なくとも１つの構成要素により電流を受けることを含む。少なくとも１つの構成要素は、ハウジングの中に存在する他の構成要素、化学物質、または物質と共同で、電気エネルギーを受けるように構成される。このプロセスは、ハウジングの少なくとも１つの内側表面、または、少なくとも１つの内部構成要素に結合されている複数のマイクロチャネルに熱を移送することによる電気エネルギー蓄積装置の熱制御も含む。また、このプロセスは、マイクロチャネルに結合されているヒートシンクを通して集められた熱を移送することを含む。ヒートシンクは、マイクロチャネルに、または、マイクロチャネルから熱エネルギーを移送するように、および、ヒートシンクにおけるマイクロチャネルを通して流体を受けるように構成されている。
【００６２】
更に、電気エネルギー蓄積装置を充電させる方法が開示されている。この方法は、ハウジングおよびハウジングの中に内部構成要素を備える電気エネルギー蓄積装置を受けることを含む。このプロセスは、マイクロチャネル流体熱制御システムをハウジングの少なくとも１つの内側表面、または、内部構成要素に一体化させることも含む。更に、この方法は、充電源から電気エネルギー蓄積装置によって電流を受けることを含む。
【００６３】
図５は、放電中の電気エネルギー蓄積装置の熱制御のためのプロセス５００を表している。プロセス５００は、電気エネルギー蓄積装置を設けることを含む（プロセス５１０）。プロセス５００は、マイクロチャネル流体熱制御システムを電気エネルギー蓄積装置の内部に一体化させることも含む（プロセス５２０）。プロセス５００は、電流を放電させるように電気エネルギー蓄積装置を構成することを更に含む（プロセス５３０）。
【００６４】
図６は、電気エネルギー蓄積装置または電気化学エネルギー発生装置からの出力から出力を放出するためのプロセスを表している。プロセス６００は、電気エネルギー蓄積装置または電気化学エネルギー発生装置を受けることを含む（プロセス６１０）。プロセス６００は、電気エネルギー蓄積装置または電気化学エネルギー発生装置の内部に一体化されるマイクロチャネル流体熱制御システムを受けることも含む（プロセス６２０）。更に、プロセス６００は、蓄積された、または、生成された電気エネルギーを使用する負荷に電気エネルギー蓄積装置または電気化学エネルギー発生装置から出力を放出することを含む（プロセス６３０）。マイクロチャネル熱制御システムを使用することにより、熱が電気エネルギー蓄積装置または電気化学エネルギー発生装置から続いて放出される（プロセス６４０）。
【００６５】
図７は、充電中の電気エネルギー蓄積装置の熱制御のためのプロセス７００を表している。プロセス７００は、電流を受けるように電気エネルギー蓄積装置を構成することを含む（プロセス７１０）。この電流は、電気エネルギー蓄積装置を充電するために用いられ、高出力密度電流を受容可能な電気エネルギー蓄積装置は、それ故、電気エネルギー蓄積装置および電気エネルギー蓄積装置の構成要素を加熱する原因となる。プロセス７００は、電流を発生するように電気エネルギー蓄積装置の内部構成要素を構成することも含む（プロセス７２０）。更に、プロセス７００は、複数のマイクロチャネルを電気エネルギー蓄積装置のハウジングの内部に設けることを含む（プロセス７３０）。ハウジングの内部は、ハウジングの中の構成要素と同様にハウジングの内側表面を備えていてもよい。また更に、プロセス７００は、マイクロチャネルを通過して流れる流体から熱を集めるために用いられる放熱構造またはヒートシンクを設けることを含む（プロセス７４０）。
【００６６】
図８は、充電中の電気エネルギー蓄積装置の熱制御のためのプロセス８００を表している。プロセス８００は、充電源から電流を引き出す状態で電気エネルギー蓄積装置を設置することを含む（プロセス８１０）。プロセス８００は、電気エネルギー蓄積装置の少なくとも１つの構成要素により電流を受けることも含む（プロセス８２０）。熱は、充電プロセス中に電気エネルギー蓄積装置の中で発生するので、プロセス８００は、電気エネルギー蓄積装置のハウジングの中に構成されているマイクロチャネルに熱を移送することによる電気エネルギー蓄積装置の熱制御も含む（プロセス８３０）。マイクロチャネルからマイクロチャネルを通過して流れる流体およびヒートシンクに熱を移送することにより、熱はラジエーターまたは他のヒートシンク構造を介してマイクロチャネルから排除される（プロセス８４０）。
【００６７】
図９は、充電中の電気エネルギー蓄積装置の熱制御のためのプロセス９００を表している。プロセス９００は、電気エネルギー蓄積装置が充電される状態で電気エネルギー蓄積装置を受けることを含む（プロセス９１０）。プロセス９００は、電気エネルギー蓄積装置と一体化されるマイクロチャネル流体熱制御システムを受けることも含む（プロセス９２０）。このようなマイクロチャネル流体熱制御システムは、電気エネルギー蓄積装置のハウジングの中の構成要素に直接適用されてもよく、さもなくば、電気エネルギー蓄積装置のハウジング、または、電気エネルギー蓄積装置のハウジングの中の構成要素と一体化していてもよい。プロセス９００は、充電源から電気エネルギー蓄積装置によって電流を受けることも含む（プロセス９３０）。
【００６８】
図１０は、電気エネルギー蓄積装置または電気化学エネルギー発生装置の熱制御のためのシステム１０００を表す。電気エネルギー蓄積装置または電気化学エネルギー発生装置１０００は、外側表面１０１２および内側表面１０１４を有するハウジング１０１０を含む。ハウジング１０１０の中には、複数の要素、化学物質、物質等があってもよい。例えば、カソード１０２０は、導通接続部１０２６によって陽極１０２７に接続されている。カソード１０２０は、表面１０２２を有する。表面１０２２は、流体回路１０３６と熱伝達がある高熱伝導率体（高熱伝導率物質）１０２３によって、覆われているまたはカソード１０２０に一体化されている。高熱伝導率体１０２３は、高ｋ値を有する。高ｋ値は、略４１０Ｗ／（ｍ・Ｋ）より大きい。流体回路１０３６は、カソード１０２０から高熱伝導率体１０２３を介して熱を運び出すための循環する流体として使用される。迅速に充電または放電する、あるいは、高い出力密度を管理する、電気エネルギー蓄積装置および電気化学エネルギー発生装置において、効率的な熱制御が、所望の温度を維持するために必要とされている。高熱伝導率体を貼り付けて（塗布して）使用することで、熱の効率的な排除により、所望の温度を維持することができる。熱回路１０３６は、ヒートシンク１０３８に（任意でポンプ１０４０を介して）結合されている。ポンプ１０４０は、流体が回路１０３６の中を移動するのを補助する。同様に、アノード１０３０は、表面１０３２と結合または一体化された高熱伝導率体１０３３を有するハウジング１０１０の中にある。流体回路１０３４は、高熱伝導率体１０３３と熱伝達がある。流体回路１０３４は、ヒートシンク１０３８に（任意でポンプ１０４０を介して）結合されている。アノード１０３０は、導通接続部１０２８を通して陰極１０２９に接続されている。陽極１０２７および陰極１０２９は、負荷源または充電源１０７０に接続されていてもよい。典型的な実施形態では、制御装置１０６０は、例えば以下に限らないが、回路１０３６および回路１０３８の中の流体の流速を制御するためのポンプ１０４０を含む、システム１０００内の種々の装置に結合されていてもよい。制御装置１０６０は、以下に限らないが、電流計を含む種々のセンサーに結合されていてもよい。電流計は、以下に限らないが、電極１０２７を含む種々の場所にあってもよい。以下に限らないが、温度センサー、電圧センサー、流量センサー、化学的濃度センサー等を含む、多くの他のタイプのセンサーを用いることもできる。電気エネルギー蓄積装置または電気化学エネルギー発生装置の内部の熱の排除を促進するための高熱伝導率体の使用は、急速充電または急速放電の間における上記装置の適切な熱の制御を提供するために有益である。
【００６９】
種々の典型的な実施形態では、電気エネルギー蓄積装置または電気化学エネルギー発生装置は、高熱伝導率体を含む。高熱伝導率体は、以下に限らないが、ダイアモンド、ダイアモンドを原料とした物質、ダイアモンドフィルム、ダイアモンド複合材料（ダイアモンド積層銅またはダイアモンド積層アルミニウムのような複合材料）、カーボンファイバー（アルミニウム、炭化シリコン（ＳｉＣ）、または、種々のポリマーのような基質の中の物質と結合して存在するような、グラファイトファイバー複合材料を含む）、炭素−炭素物質（カーボン基質の中のカーボンファイバーのような物質）、カーボンナノチューブ、カーボンエーロゲル等を含む。さらに、高熱伝導率体は、マイクロヒートパイプ、および熱伝導率を増加させるために有益であろう他の構造として形作られてもよい。このような物質は、以下の参照（１）“http://www.nsf.gov/awardsearch/showAward.do?AwardNumber=0750177”の情報（２００９年４月３０日の時点）、（２）“Applications for ultrahigh thermal conductivity graphite fibers,” T.F. Fleming, W.C. Riley, Proc. SPIE, Vol. 1997, 136 (1993) DOI:10.1117/12.163796, Online Publication Date: 14 January 2005; “Vapor grown carbon fiber reinforced aluminum composites with very high thermal conductivity,” Jyh-Ming Ting, Max L. Lake J. Mater. Res. V. 10 #2 pp. 247-250 DOI: 10.1557/JMR.1995.0247、および（３）“New low-CTE ultrahigh-thermal-conductivity materials for lidar laser diode packaging,” C. Zweben Proc. SPIE, Vol. 5887, 58870D (2005) DOI: 10.1117/12.620175.、に例示されている。
【００７０】
図１１は、電気エネルギー蓄積装置または電気化学エネルギー発生装置の熱制御の方法１１００を表している。この方法は、外側表面および内側表面を有するハウジングを設けることを含む（プロセス１１１０）。またこの方法は、上記ハウジングの中に少なくとも１つの構成要素（コンポーネント）を結合させることを含む。少なくとも１つの構成要素は、上記ハウジングの中に存在する他の、要素（コンポーネント）、化学物質、または物質と共同で、電力を発生するよう構成されている（プロセス１１２０）。この方法は、上記ハウジングの少なくとも１つの上記内側表面または上記少なくとも１つの内部の構成要素と結合している高熱伝導率体で、複数の熱制御構造体を形成することを含む。上記高熱伝導率体は、高ｋ値（High-k）を有し、そのｋ値は、略４１０Ｗ／（ｍ・Ｋ）より大きい（プロセス１１３０）。さらに、この方法は、上記高熱伝導率体から熱を取り除くために、上記高熱伝導率体に隣接して流体を流すことを含む（プロセス１１４０）。
【００７１】
他の典型的な実施形態では、少なくとも部分的に上述した高熱伝導率体で、ヒートシンクが形成される。このような構成は、電気エネルギー蓄積装置または電気化学エネルギー発生装置の熱制御方法において用いられる。このような方法は、外側表面および内側表面を有するハウジングを設けることを含む。また、このような方法は、上記ハウジングの中に少なくとも１つの構成要素を結合させることを含む。少なくとも１つの構成要素は、上記ハウジングの中に存在する他の、要素、化学物質、または物質と共同で、電力を発生するよう構成されている。さらに、この熱制御方法は、上記ハウジングの少なくとも１つの上記内側表面または上記少なくとも１つの内部の構成要素に結合した複数の熱制御構造体を形成することを含む。この方法はさらに、複数の熱制御構造体に隣接して流体を流すこと、および、ヒートシンクから、またはヒートシンクへ、熱を移送することを含む。ヒートシンクは、少なくとも部分的に、高ｋ値を有する高熱伝導率体で形成されている。そのｋ値は、略４１０Ｗ／（ｍ・Ｋ）より大きくてもよい。
【００７２】
図１２は、電気エネルギー蓄積装置または電気化学エネルギー発生装置の熱制御のプロセス（工程）１２００を表している。プロセス１２００は、電気エネルギー蓄積装置または電気化学エネルギー発生装置から電流を引き出す電気的負荷を配置することを含む（プロセス１２１０）。またプロセス１２００は、高ｋ値物質で形成された熱制御構造体に熱を移送することによる、電気エネルギー蓄積装置または電気化学エネルギー発生装置の熱制御を含む（プロセス１２２０）。さらに、プロセス１２００は、上記高ｋ値物質から熱を取り除くために、上記高ｋ値物質に隣接して流体を流すことを含む（プロセス１２３０）。
【００７３】
図１３を参照する。電気エネルギー蓄積装置または電気化学エネルギー発生装置から出力を供給するための方法１３００は、電気エネルギー蓄積装置または電気化学エネルギー発生装置を設けることを含む。電気エネルギー蓄積装置または電気化学エネルギー発生装置は、ハウジングを含み、上記ハウジングの中に内部構成要素を含む（プロセス１３１０）。また、プロセス１３００は、高ｋ値物質で形成された熱制御構造体に熱を移送することによる、電気エネルギー蓄積装置または電気化学エネルギー発生装置の熱制御を含む（プロセス１３２０）。さらに、プロセス１３００は、上記高ｋ値物質に隣接して流体を流すことを含む（プロセス１３３０）。さらに、プロセス１３００は、電気エネルギー蓄積装置または電気化学エネルギー発生装置を放電するための基盤（プラットホーム）となるように電気エネルギー蓄積装置または電気化学エネルギー発生装置を構成することを含む（プロセス１３４０）。
【００７４】
図１４を参照する。電気エネルギー蓄積装置または電気化学エネルギー発生装置から出力を供給（提供）するための方法１４００は、ハウジングおよび上記ハウジングの中に内部構成要素を有する電気エネルギー蓄積装置または電気化学エネルギー発生装置を設けることを含む（プロセス１４１０）。またこの方法は、高ｋ値物質で形成された複数の熱制御構造体に熱を移送することによる、電気エネルギー蓄積装置または電気化学エネルギー発生装置の熱制御を含む（プロセス１４２０）。さらに、この方法は、上記高ｋ値物質に隣接して流体を流すことを含む（プロセス１４３０）。さらに、プロセス１４００は、電気エネルギー蓄積装置または電気化学エネルギー発生装置を放電し、電気エネルギー蓄積装置または電気化学エネルギー発生装置からの電気エネルギーを使用するための基盤（プラットホーム）となるように電気エネルギー蓄積装置または電気化学エネルギー発生装置を構成することを含む（プロセス１４００）。
【００７５】
図１５を参照する。電気エネルギー蓄積装置を充電する方法１５００は、電気エネルギー蓄積装置を充電するために電流を受け取るように電気エネルギー蓄積装置を構成することを含む（プロセス１５１０）。電気エネルギー蓄積装置は、外側表面および内側表面を有するハウジングを含む。また、この方法は、上記ハウジングの中に少なくとも１つの構成要素を構成することを含む。上記少なくとも１つの構成要素は、放電段階の間は、上記ハウジングの中に存在する他の、要素、化学物質、または物質と共同で、電気エネルギーを生成するように構成され、上記少なくとも１つの構成要素は、充電段階の間は、電荷を受けるように構成される（プロセス１５２０）。複数の熱制御構造体は、上記ハウジングの少なくとも１つの内側表面または少なくとも１つの内部構成要素に結合された高熱伝導率体で作られる（プロセス１５２０）。上記高熱伝導率体は、高ｋ値を有し、そのｋ値は、略４１０Ｗ／（ｍ・Ｋ）より大きい。上記熱伝導率体は、充電段階の間に生じた熱を受け取るように構成される（プロセス１５３０）。ヒートシンクは、上記高熱伝導率体に結合された流体へ、または流体から、熱を移送するために設けられる（プロセス１５４０）。ヒートシンクは、上記高熱伝導率体およびヒートシンクを通過して流れる流体へ、または流体から、熱エネルギーを移送するように構成される。
【００７６】
図１６を参照する。電気エネルギー蓄積装置を充電する方法１６００は、電流を引き出す状態で電気エネルギー蓄積装置を設置することを含む（プロセス１６００）。また、プロセス１６００は、高熱伝導率体で形成された複数の熱制御構造体に熱を移送し、それに隣接して流体を流すことによる、電気エネルギー蓄積装置の熱制御を含む（プロセス１６２０）。また、プロセス１６００は、放熱構造またはヒートシンクを通して流体から熱を排除することを含む（プロセス１６３０）。
【００７７】
他の例示的な実施形態では、上述の構造、システム、およびプロセスが、電気エネルギー蓄積装置または電気化学エネルギー発生装置の熱制御のためのマイクロチャネル熱制御を使用しつつ、このような熱制御を、電気エネルギー蓄積装置または電気化学エネルギー発生装置に移送される、または、電気エネルギー蓄積装置または電気化学エネルギー発生装置から移送される電流（または、以下に限られないが、電圧、出力、温度、充電状態等のような電気エネルギー蓄積装置または電気化学エネルギー発生装置の他の状態）に基づかせる構造、システム、およびプロセスに適用されてもよい。この電流は、様々なセンサーによって検出されてもよく、そして、様々な制御アルゴリズムおよび制御装置の何れかを用いて流体の流速を制御するポンプによって制御されてもよい。このような制御アルゴリズムは、以下に限らないが、古典的制御、フィードバック制御、非線形制御、適用制御等を含んでもよい。この制御アルゴリズムは、状態推定器、適合制御アルゴリズム、カルマンフィルタ、電気エネルギー蓄積装置または電気化学エネルギー発生装置のモデルを含んでもよい。このポンプは、引出し電流が増加するにつれて流れが増加することを含んだ様々な手法の何れかによって制御されてもよい。引出し電流が増加するにつれて流れが線形に増加してもよい。引出し電流が減少するにつれて流れが減少してもよい。引出し電流が減少するにつれて流れが非線形に減少してもよい。引出し電流が増加するにつれて流れが線形に増加してもよい。引出し電流が減少するにつれて流れが非線形に減少してもよい。または、引出し電流が増加するにつれて流れが非線形に増加してもよく、引出し電流が減少するにつれて流れが線形に減少してもよい。更に、他の可能性は、デザインの特性および所望の応答に依存して同等に適用可能である。
【００７８】
他の例示的な実施形態では、上述の構造、システム、およびプロセスが、電気エネルギー蓄積装置または電気化学エネルギー発生装置の熱制御のために高熱伝導率体を使用しつつ、このような熱制御を、電気エネルギー蓄積装置または電気化学エネルギー発生装置が電力を供給される携帯型装置の状態に基づかせる構造、システム、およびプロセスに適用されてもよい。この電流は、様々なセンサー、または、携帯型装置の状態を決定する様々なソフトウェアによって検出されてもよく、ポンプは、様々な制御アルゴリズムまたは制御装置を使用して流体の流速を制御するように制御される。このような制御アルゴリズムは、以下に限らないが、古典的制御、フィードバック制御、非線形制御、適用制御等を含んでもよい。この制御アルゴリズムは、状態推定器、適用制御アルゴリズム、カルマンフィルタ、電気エネルギー蓄積装置または電気化学エネルギー発生装置のモデルを含んでもよい。
【００７９】
流体の流れが基づいていてもよい携帯型装置の状態は、以下に限らないが、輝度、処理速度、処理要求、プロセッサのタスク、ディスプレイの輝度、ハードディスクの状態、ハードディスクの速度、ハードディスクの使用、無線通信状態等を含んだ様々な状態を含んでもよい。このような携帯型装置は、以下に限らないが、コンピュータ、ラップトップコンピュータ、携帯電話、全地球測位システム（ＧＰＳ）ユニット、動力工具等の様々な携帯型電気装置の何れかを備えていてもよい。更に、他の可能性は、所望の性能特性に依存して同等に適用可能である。
【００８０】
例えば、例示的な実施形態によれば、携帯型装置は、マイクロチャネル熱制御システムによって冷却される電池パックを備えているラップトップコンピュータであってもよい。このマイクロチャネル熱制御システムは、ポンプ、または、マイクロチャネルを通過する流体の流速および熱制御の速度を制御する他の装置を備えていてもよい。増加した処理速度、増加した処理タスク、増加したハードディスク速度、増加したハードディスクの使用等に起因した電流の要求が、電池パックの発熱の原因となってもよい。上記のように、それ故、熱制御に対する要求が増加する。この制御システムは、携帯型装置の状態を検出または決定しつつ、携帯型装置の状態に基づく、マイクロチャネル熱制御システムを通過する流れの速度を変化させることによって熱制御の速度を調整するように構成されており、マイクロチャネルに基づく熱制御、高熱伝導率体に基づくの熱制御のシステム、および、他のマイクロチャネルおよび高熱伝導率体の熱制御システムのコンテクスト（環境）において適用されてもよい。
【００８１】
流体の流れの制御が携帯型装置の状態に基づいているこのようなシステムの使用は、マイクロチャネルを使用する熱制御システムに適用されてもよい。同様に、このシステムは、流体熱制御システムと共に、物質に対する熱および高い熱伝導を利用する電気化学エネルギー発生装置または電気エネルギー蓄積装置に適用されてもよい。更に、熱制御が携帯型装置の状態に基づいている上述の制御システムが、マイクロチャネル熱制御と物質に対する高熱伝導率との組み合わせを使用するシステムに適用されてもよい。
【００８２】
他の特定の例示的な実施形態では、上述の流体熱制御システムは、車両システムに用いられている電気エネルギー蓄積装置およびエネルギー発生装置に適用されてもよい。このようなシステムでは、流体ポンプが、電気エネルギー蓄積装置または電気化学エネルギー発生装置のマイクロチャネル熱制御システムに結合されていてもよい。この電気エネルギー蓄積装置または電気化学エネルギー発生装置は、車両の動力伝達装置に電気エネルギーを供給するように、または、車両の他の装置に電力を供給する際に電気エネルギーを供給するように構成されていてもよい。プロセッサは、車両の少なくとも１つの状態を決定するように構成されている。車両センサーは、プロセッサに結合されていてもよく、少なくとも１つの車両特性を検出するように構成されていてもよい。制御装置は、制御アルゴリズムと共に用いられており、ポンプの機能を少なくとも１つの車両の状態の関数として制御するように構成されていてもよい。
【００８３】
例示的な実施形態によれば、車両の状態は、以下に限らないが、エンジン速度、エンジントルク、エンジン加速度、エンジン温度、地形勾配、車両加速度、車両速度等を含んでもよい。また、このコンセプトおよび制御システムは、以下に限らないが、コンピュータが一体化した車両、トラック、ボート、バス、電車、バイク等を含んだ様々な車両の何れに適用されてもよい。１つの例示的な実施形態では、以下に限らないが、電流センサー、電圧センサー、温度センサー、速度センサー、加速度計、方位センサー、姿勢センサー等を含んだ様々なセンサーが使用されてもよい。車両の状態に基づいた熱制御を適用する方法は、マイクロチャネルに基づくの熱制御、高熱伝導率体に基づくの熱制御のシステム、および、他のマイクロチャネルおよび高熱伝導率体の熱制御システムに関連して適用されてもよい。
【００８４】
他の例示的な実施形態では、電気エネルギー蓄積装置または電気化学エネルギー発生装置は、外側表面および内側表面を有するハウジングを備えている。構成要素が、ハウジングの中に存在してもよい。この構成要素は、ハウジングの中の少なくとも１つの他の構成要素、化学物質、または、物質と共同で、電気エネルギーを発生するように構成されている。複数のマイクロチャネルは、ハウジングの少なくとも１つの内側表面、または、少なくとも１つの内部構成要素に適合されてもよい。複数のマイクロチャネルは、あらゆる数の組が用いられてもよいが、少なくとも２つのマイクロチャネルの組に分割されてもよい。この２組は、例えば、少なくとも１つのバルブによって分割されていてもよい。制御装置は、このバルブに制御信号を供給するように構成されている。このバルブは、流体がマイクロチャネルの一方の組を通って、または、両方の組を同時に通って流れるように、少なくとも２つのマイクロチャネルの組における流体の流れを制御するように構成されていてもよい。制御信号は、熱制御の要求に基づいている。例えば、熱制御の要求はシステム全体のものであってもよく、または、熱制御の要求は局所的なものであってもよい。ヒーシトンクは、マイクロチャネルに結合されている。このヒートシンクは、マイクロチャネルおよびシンクを通過して流れている流体を介して、マイクロチャネル表面に熱エネルギーを移送するか、または、マイクロチャネル表面から熱エネルギーを移送するように構成されている。このような実施形態では、熱制御の要求は、流体が必要とされる局所的な熱制御を提供するためにマイクロチャネルの様々な組を通って選択的に流れるようにバルブを開閉する動作を制御することによって満たされてもよい。
【００８５】
先の詳細な説明は、ブロック図、フローチャート、および／または例を使用して、装置および／またはプロセスの様々な実施形態を示している。このようなブロック図、フローチャート、および／または例が、１つ以上の機能および／または動作を含む範囲では、このようなブロック図、フローチャート、または例の中の機能および／または動作の各々が幅広い範囲のハードウェア、ソフトウェア、ファームウェア、または、これらの実際の組み合わせの何れかによって個別的におよび／または集合的に実行され得ることは、当業者には理解されるであろう。１つの実施形態では、本明細書に記載の主題の幾つかの部分が、特定用途向け集積回路（ＡＳＩＣｓ）、フィールド・プログラマブル・ゲート・アレイ（ＦＰＧＡｓ）デジタル・シグナル・プロセッサ（ＤＳＰｓ）、または、他の集積化された形式を用いて実行されてもよい。しかしながら、当業者ならば、本明細書に開示されている実施形態の幾つかの態様が、１つ以上のコンピュータ上で実行される１つ以上のコンピュータプログラム（例えば、１つ以上のコンピュータシステム上で実行される１つ以上のプログラム）、１つ以上のプロセッサ上で実行される１つ以上のプログラム（例えば、１つ以上のマイクロプロセッサ上で実行される１つ以上のプログラム）、ファームウェア、または、これらの実際の組み合わせの何れかとして、集積回路において全体的にまたは部分的に等価的に実行され得ること、および、回路のデザインおよび／またはソフトウェアおよび／またはファームウェアのためのコードの設計が、この開示に関する１つの技術分野の技術の中に十分に収まることを認識するであろう。更に、当業者にとって、本明細書に記載の主題に係るメカニズムが、様々な形式におけるプログラム製品として配布されることが可能であること、および、本明細書に記載の主題に係る説明的な実施形態が、この配布を実際に実行するために用いられる信号搬送媒体の特定のタイプに関わらずに適用されることは明白である。信号関連媒体の例として、以下に限らないが、以下の、フロッピー（登録商標）ディスク、ハードディスクドライブ、コンパクトディスク（ＣＤ）、デジタルビデオディスク（ＤＶＤ）、デジタルテープ、コンピュータメモリ等の記録可能なタイプの媒体、および、デジタルおよび／またはアナログの通信媒体（例えは、光ファイバーケーブル、導波路、有線通信リンク、無線通信リンク等）のような伝送タイプの媒体が挙げられる。更に、当業者ならば、開示された機械的構造が例示的な構造であり、このような構造を構成する際に他の形状および物質が用いられてもよいことを認識するであろう。
【００８６】
一般に、当業者ならば、本明細書に記載の様々な実施形態が、ハードウェア、ソフトウェア、ファームウェア、または、これらの実際の組み合わせの何れかのような幅広い範囲の電気的構成要素、および、剛体、スプリングまたはねじり物体、油圧、および電気機械的作動装置、または、これらの実際の組み合わせの何れかのような機械的な力または動作を与える幅広い範囲の構成要素を有する電気機械的システムの様々なタイプによって個別的におよび／または集合的に実行され得ることを認識するであろう。それ故、本明細書にて用いられているように、「電気機械的システム」という用語は、以下に限らないが、変換器に動作可能に結合されている電気回路、少なくとも１つの個別の電気回路を有する電気回路、少なくとも１つの集積回路を有する電気回路、少なくとも１つの特定用途向け集積回路を有する電気回路、コンピュータプログラムによって通常目的のコンピュータ装置（例えば、本明細書に記載のプロセスおよび／または装置を少なくとも部分的に実行するコンピュータプログラムによって構成されている通常目的のコンピュータ、または、本明細書に記載のプロセスおよび／または装置を少なくとも部分的に実行するコンピュータプログラムによって構成されているマイクロプロセッサ）を形成している電気回路、メモリ装置（例えば、ランダム・アクセス・メモリの形状）を形成している電気回路、通信装置（例えば、モデム、通信スイッチ、または電気光学的装置）を形成している電気回路、および、光学的アナログ装置または他のアナログ装置のようなこれらに対する非電気アナログ装置を含む。当業者であれば、電気機械的システムの例が、以下に限らないが、電動輸送システム、工場自動化システム、セキュリティシステム、および、通信／コンピュータシステムのような他のシステムと同様に様々な家電システムを含むことは明白である。当業者であれば、特に明記しない限り、本明細書にて用いられている電気機械的システムが、電気的作動および機械的作動の両方を有するシステムに限定される必要がないことを認識するであろう。
【００８７】
一般に、当業者ならば、幅広い範囲のハードウェア、ソフトウェア、ファームウェア、または、これらの実際の組み合わせの何れかによって個別的におよび／または集合的に実行され得る、本明細書に記載の様々な態様が、様々なタイプの「電気回路」により構成されていると見なされ得ることを認識するであろう。それ故、本明細書にて用いられているように、「電気回路」は、以下に限らないが、少なくとも１つの個別の電気回路を有する電気回路、少なくとも１つの集積回路を有する電気回路、少なくとも１つの特定用途向け集積回路を有する電気回路、コンピュータプログラムによって通常目的のコンピュータ装置（例えば、本明細書に記載のプロセスおよび／または装置を少なくとも部分的に実行するコンピュータプログラムによって構成されている通常目的のコンピュータ、または、本明細書に記載のプロセスおよび／または装置を少なくとも部分的に実行するコンピュータプログラムによって構成されているマイクロプロセッサ）を形成している電気回路、メモリ装置（例えば、ランダム・アクセス・メモリの形状）を形成している電気回路、および／または、通信装置（例えば、モデム、通信交換、または電気光学的装置）を形成している電気回路を含む。当業者ならば、本明細書に記載の主題がアナログまたはデジタルの手法もしくはこれらの幾つかの組み合わせにおいて実行されてもよいことを認識するであろう。
【００８８】
本明細書に記載の手法にて、装置および／またはプロセスおよび／またはシステムを実行し、その後、このように実行された装置および／またはプロセスおよび／またはシステムをより包括的な装置および／またはプロセスおよび／またはシステムに一体化させるために、工業および／または商業の慣行を使用することはこの分野では標準であると、当業者ならば認識するであろう。すなわち、本明細書に記載の装置および／またはプロセスおよび／またはシステムの少なくとも１つの部分が、相当量の実験を経て、他の装置および／またはプロセスおよび／またはシステムに一体化され得る。当業者ならば、このような他の装置および／またはプロセスおよび／またはシステムの例には、コンテクストおよび用途に適切であるように、（ａ）空路輸送（例えば、飛行機、ロケット、ホバークラフト、ヘリコプター等）、（ｂ）陸上輸送（例えば、自動車、トラック、蒸気機関車、戦車、装甲兵員輸送車等）、（ｃ）建物（例えば、家、倉庫、事務所等）、（ｄ）電化製品（例えば、冷蔵庫、洗濯機、乾燥機等）、（ｅ）通信システム（例えば、ネットワークシステム、電話システム、ボイス・オーバー・ＩＰシステム等）、（ｆ）企業（例えば、Comcast Cable、Quest、Southwestern Bellのようなインターネット・サービス・プロバイダ（ＩＳＰ）法人等）、または、（ｇ）Sprint、Cingular、Nextelのような有線／無線サービス法人、等の装置および／またはプロセスおよび／またはシステムの全部または一部が含まれることを認識するであろう。
【００８９】
当業者ならば、本明細書に記載の構成要素（例えば、ステップ）、装置、および、それらを添付する目的と記述とが、概念的な明確性のための例として用いられていること、および、様々な構成の変更が当業者の技量の範疇にて為されることを認識するであろう。それ故、本明細書にて用いられているように、記載の特定例および添付の記述は、それらのより一般的なクラスを表すことを意図している。一般に、本明細書中の特定例の何れを使用することもまた、そのクラスを表すことを意図しており、本明細書に記載のこのような特定の構成要素（例えば、ステップ）、装置、および目的を含まないことは、限定を意図するものであるとみなされるべきではない。
【００９０】
本明細書中の何れの複数形および／または単数形の用語を実質的に使用することに関して、当業者であれば、文脈および用途に適切であるように、複数形から単数形へ、および／または、単数形から複数形へ言い換えることができる。様々な単数形／複数形の置き換えは、明確性のために、本明細書では明確に明記されてはいない。
【００９１】
本明細書に記載の主題は、異なる構成要素の中に含まれている、または、異なる構成要素に接続されている、異なる他の構成要素を例示するときがある。このように表された構造は単に例示的なものであり、同一の機能を実現する、実際に多くの他の構造が実行され得ることが理解される。概念的な意味において、同一の機能を実現するための構成要素の何れの構成も、所望の機能が実現されるように実際に「関連して」いる。それ故、特定の機能を実現するために組み合わされた本明細書中の何れか２つの構成要素は、構造または中間の構成要素に関わらず、所望の機能が実現されるように互いに「関連して」いると見られ得る。同様に、そのように関連している何れか２つの構成要素は、所望の機能を実現するために互いに「動作可能に接続されている」または「動作可能に結合されている」とも見なされ得る。そして、そのように関連することが可能な何れか２つの構成要素は、所望の機能を実現するために互いに「動作可能に結合可能」であるとも見なされ得る。動作可能に結合可能である特定の例には、以下に限らないが、物理的に変形可能な構成要素および／または物理的に相互作用する構成要素、および／または、ワイヤレスに相互作用可能な構成要素および／またはワイヤレスに相互作用している構成要素、および／または、論理的に相互作用している構成要素および／または論理的に相互作用可能な構成要素が含まれる。
【００９２】
本明細書に記載の本主題に係る特定の態様が図示されて記載されてきたが、本明細書中の教示に基づいて変更および補正が、本明細書に記載の主題およびその幅広い態様から逸脱することなく為されてもよいことは、当業者にとって明白である。それ故、このような変更および補正の全てが本明細書に記載の主題の真の精神および範疇にあるように、添付の特許請求の範囲がその範疇においてこのような変更および補正の全てを包括する。更に、本発明は添付の請求請求の範囲によって規定される。一般に、当業者ならば、本明細書および特に添付の特許請求の範囲（例えば、添付の特許請求の範囲の要部）にて用いられている用語は、一般に、「非限定的な」用語として意図されている（例えば、「．．．を含んでいる」という用語は「．．．を含んでいるがこれに限定されない」と解釈されるべきであり、「．．．を有している」という用語は「少なくとも．．．を有している」と解釈されるべきであり、「．．．を含む」という用語は「．．．を含むがこれに限定されない」と解釈されるべきである、等）ことを理解するであろう。当業者であれば、導入された請求項の記載において特定の数が意図される場合、そのような意図は当該請求項の中に明確に記載され、そのような記載がない場合は、そのような意図も存在しないことを更に理解するであろう。例えば、理解を促すために、後続の添付する特許請求の範囲には、請求項の記載を導入するために、「少なくとも１つの」および「１つ以上の」といった導入句の使用が含まれてもよい。しかしながら、このような句の使用により、「ａ」または「ａｎ」といった不定冠詞により請求項の記載を導入した場合に、たとえ同一の請求項に「１つ以上の」または「少なくとも１つの」といった導入句と「ａ」または「ａｎ」といった不定冠詞との両方が含まれるとしても、このような導入された請求項の記載を含んだ何れの特定の請求項も、このような記載を１つしか含まない発明に限定されると示唆されるように解釈されるべきではない（例えば、「ａ」および／または「ａｎ」は、「少なくとも１つの」または「１つ以上の」を意味するように典型的に解釈されるべきである）。定冠詞を使用して請求項の記載を導入する場合にも、同様のことがあてはまる。また、導入された請求項の記載において特定の数が明確に明記されている場合であっても、当業者であれば、このような記載は少なくとも記載された数を意味するように解釈されるべきであることを認識するであろう（例えば、他に修飾語を伴わない「２つの記載」という単なる記載は、少なくとも２つの記載または２つ以上の記載を典型的に意味する）。更に、「Ａ、Ｂ、およびＣ等の内の少なくとも１つ」に類する従来技法が使用される場合、一般に、このような構成は、当業者がその従来技法を理解するであろう意味において意図されている（例えば、「Ａ、Ｂ、およびＣの内の少なくとも１つを有するシステム」は、Ａのみ、Ｂのみ、Ｃのみ、ＡとＢの両方、ＡとＣの両方、ＢとＣの両方、および／またはＡとＢとＣの全て、等を有するシステムを含むがこれに限定されない）。「Ａ、Ｂ、およびＣ等の内の少なくとも１つ」に類する表記が使用される場合、一般に、このような構成は、当業者がその表記を理解するであろう意味において意図されている（例えば、「Ａ、Ｂ、およびＣの内の少なくとも１つを有するシステム」は、Ａのみ、Ｂのみ、Ｃのみ、ＡとＢの両方、ＡとＣの両方、ＢとＣの両方、および／またはＡとＢとＣの全て、等を有するシステムを含むがこれに限定されない）。当業者であれば、２つ以上選択可能な用語を表している実質的に何れの離接語および／または離接句も、詳細な説明、特許請求の範囲、または図面において、これらの用語の１つ、これらの用語の何れか、またはこれらの用語の両方を含む可能性を意図するように理解されるべきであることを更に理解するであろう。例えば、「ＡまたはＢ」という句は、「Ａ」、「Ｂ」または「ＡおよびＢ」の可能性を含むことが理解されるであろう。
【００９３】
本明細書において様々な態様および実施形態が開示されてきたが、当業者であれば、他の態様および実施形態も明白である。以下の特許請求の範囲により示されている真の範疇および精神を伴いながら、本明細書に開示されている様々な態様および実施形態は、説明のためのものであり、限定的であるように意図されているものではない。
【図面の簡単な説明】
【００９４】
【図１】電気エネルギー蓄積装置または電気化学エネルギー発生装置に関連した例示的なマイクロチャネル温度変更システムである。
【図２】複数のマイクロチャネルの断面図および切取内部図の例示的な図である。
【図３】電気エネルギー蓄積装置または電気化学エネルギー発生装置の温度を変更するための例示的なプロセスの図である。
【図４】電気エネルギー蓄積装置または電気化学エネルギー発生装置の温度を変更するための例示的なプロセスの図である。
【図５】放電期間における電気エネルギー蓄積装置または電気化学エネルギー発生装置の温度を変更するための例示的なプロセスの図である。
【図６】放電期間における電気エネルギー蓄積装置または電気化学エネルギー発生装置の温度を変更するための例示的なプロセスの図である。
【図７】充電期間における電気エネルギー蓄積装置の温度を変更するための例示的なプロセスの図である。
【図８】充電期間における電気エネルギー蓄積装置の温度を変更するための例示的なプロセスの図である。
【図９】充電期間における電気エネルギー蓄積装置の温度を変更するための例示的なプロセスの図である。
【図１０】電気エネルギー蓄積装置または電気化学エネルギー発生装置に関連した、装置の温度を変更させる例示的な高熱伝導率体（高熱伝導率物質）である。
【図１１】高熱伝導率体を使用する電気エネルギー蓄積装置または電気化学エネルギー発生装置の温度を変更させるための例示的なプロセスの図である。
【図１２】放電期間における高熱伝導率体を使用する電気エネルギー蓄積装置または電気化学エネルギー発生装置の温度を変更させるための例示的なプロセスの図である。
【図１３】放電期間における高熱伝導率体を使用する電気エネルギー蓄積装置または電気化学エネルギー発生装置の例示的なプロセスの図である。
【図１４】放電期間における電気エネルギー蓄積装置または電気化学エネルギー発生装置の温度を変更させるための例示的なプロセスの図である。
【図１５】充電期間における高熱伝導率体を使用する電気エネルギー蓄積装置のための例示的なプロセスの図である。
【図１６】充電期間における高熱伝導率体を使用する電気エネルギー蓄積装置の温度を変更させるための例示的なプロセスの図である。
【図１７】マイクロチャネルマニホールドシステムの例示的なブロック図である。
【図１】
0005754031.tif 000002
【図２】
0005754031.tif 000003
【図３】
0005754031.tif 000004
【図４】
0005754031.tif 000005
【図５】
0005754031.tif 000006
【図６】
0005754031.tif 000007
【図７】
0005754031.tif 000008
【図８】
0005754031.tif 000009
【図９】
0005754031.tif 000010
【図１０】
0005754031.tif 000011
【図１１】
0005754031.tif 000012
【図１２】
0005754031.tif 000013
【図１３】
0005754031.tif 000014
【図１４】
0005754031.tif 000015
【図１５】
0005754031.tif 000016
【図１６】
0005754031.tif 000017
【図１７】
0005754031.tif 000018